(57)【要約】  表示スケジュール「Ａ⇒Ｂ⇒Ｃ⇒Ｄ⇒Ｅ」にしたがって広告Ａ〜Ｅが周期的に順次表示される。（ａ）はプッシュ型表示処理を示している。プッシュ型全面表示領域（３０１）では、離れた閲覧者から広告が見やすいように、ディスプレイ（２０１）のほぼ全域が使用される。（ｂ）は案内板モードにおける未操作状態のレイアウトを示している。プル型表示領域（３０３）は、閲覧者から指定された広告の広告データが表示される。また、操作領域（３０２）には、表示スケジュールの広告Ａ〜Ｅのサムネイル画像が表示スケジュール順に表示され、閲覧者からの指定を待ち受けている。（ｃ）は案内板モードにおける操作状態のレイアウトを示している。ここでは、広告Ｃのサムネイル画像が指定されたことを反転表示により示している。操作領域（３０２）のサムネイル画像が指定されると、その指定された広告の詳細な広告データがプル型表示領域（３０３）に表示される。
2008139600.tif 000002
【特許請求の範囲】
【請求項１】
複数の広告の中から選ばれた広告群の表示スケジュールにしたがって前記広告群を表示するプッシュ型表示処理と、閲覧者から指定されると当該指定された広告に切り替え表示するプル型表示処理とを実行する広告表示装置と、当該広告表示装置と交信可能に接続され前記広告表示装置を管理する広告管理装置とを備える広告提供システムであって、
前記広告管理装置は、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、を備え、
前記広告表示装置は、
表示画面を有する表示手段と、
前記表示画面を制御して、前記作成手段によって作成された表示スケジュールにしたがって前記プッシュ型表示処理により前記広告表示候補を表示する表示制御手段と、を備えることを特徴とする広告提供システム。
【請求項２】
複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置であって、
前記プル型表示処理による前記各広告の表示頻度に基づいて前記複数の広告の中から選ばれた広告群を、広告表示候補として抽出する抽出手段と、
前記抽出手段によって前記広告表示候補として抽出された広告群の表示スケジュールを作成する作成手段と、
表示画面を有する表示手段と、
前記表示画面を制御して、前記作成手段によって作成された表示スケジュールにしたがって前記プッシュ型表示処理により前記広告表示候補を表示する表示制御手段と、
を備えることを特徴とする広告表示装置。
【請求項３】
前記閲覧者を検知する検知手段を備え、
前記表示制御手段は、
前記検知手段によって前記閲覧者が検知された場合、前記表示画面の表示内容を、前記プッシュ型表示処理によるレイアウトから、前記プル型表示処理により前記閲覧者から前記広告表示候補の指定を待ち受けるレイアウトに切り替え表示することを特徴とする請求項２に記載の広告表示装置。
【請求項４】
前記広告表示候補の指定を待ち受けるレイアウトは、前記広告群のうち、前記閲覧者が検知されたときに前記表示画面に前記プッシュ型表示処理により表示されていた広告が、当該広告以外の他の広告よりも特徴的な位置に、または、前記他の広告よりも強調して表示するレイアウトであることを特徴とする請求項２に記載の広告表示装置。
【請求項５】
複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置に対して交信可能な広告管理装置であって、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、
前記作成手段によって作成された表示スケジュールを前記広告表示装置に送信する送信手段と、
を備えることを特徴とする広告管理装置。
【請求項６】
前記抽出手段は、
さらに、前記複数の広告の最低保証表示頻度に基づいて前記複数の広告の中から選ばれた広告群を、前記広告表示候補として抽出することを特徴とする請求項５に記載の広告管理装置。
【請求項７】
前記抽出手段は、
前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することを特徴とする請求項６に記載の広告管理装置。
【請求項８】
前記作成手段は、
前記広告表示候補の表示頻度に基づいて表示順を設定することにより、前記スケジュールを作成することを特徴とする請求項５〜７のいずれか一つに記載の広告管理装置。
【請求項９】
前記作成手段は、
前記広告表示候補の表示頻度に基づいて表示時間を設定することにより、前記スケジュールを作成することを特徴とする請求項５〜７のいずれか一つに記載の広告管理装置。
【請求項１０】
前記プル型表示処理に関する重み値を前記プル型表示処理による表示頻度に重み付けしたポイントと、前記重み値よりも軽い前記プッシュ型表示処理に関する重み値を前記プッシュ型表示処理による表示頻度に重み付けしたポイントとに基づいて、広告効果に関するポイントを前記広告ごとに算出するポイント算出手段を備え、
前記抽出手段は、
前記ポイント算出手段によって算出された広告効果に関するポイントに基づいて前記複数の広告の中から選ばれた広告群を、前記広告表示候補として抽出することを特徴とする請求項５に記載の広告管理装置。
【請求項１１】
前記プッシュ型表示処理に関する重み値は、前記表示画面における表示面積の大きさに応じて複数種類設定されていることを特徴とする請求項１０に記載の広告管理装置。
【請求項１２】
前記プッシュ型表示処理に関する重み値は、前記表示画面上の特定位置からの距離に応じて複数種類設定されていることを特徴とする請求項１０に記載の広告管理装置。
【請求項１３】
前記抽出手段は、
さらに、前記複数の広告の最低保証表示頻度に基づいて前記複数の広告の中から選ばれた広告群を、前記広告表示候補として抽出することを特徴とする請求項１０〜１２のいずれか一つに記載の広告管理装置。
【請求項１４】
前記抽出手段は、
前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として抽出することを特徴とする請求項１３に記載の広告管理装置。
【請求項１５】
前記作成手段は、
前記広告表示候補の前記広告効果に関するポイントに基づいて表示順を設定することにより、前記スケジュールを作成することを特徴とする請求項１０〜１２のいずれか一つに記載の広告管理装置。
【請求項１６】
前記複数の広告の総予定広告料金と、前記複数の広告の総表示頻度と、前記各広告の表示頻度と、に基づいて、前記各広告の実広告料金を算出する料金算出手段を備えることを特徴とする請求項５〜７、１０〜１２のいずれか一つに記載の広告管理装置。
【請求項１７】
複数の広告の中から選ばれた広告群の表示スケジュールにしたがって前記広告群を表示するプッシュ型表示処理と閲覧者から指定されると当該指定された広告に切り替え表示するプル型表示処理とをコンピュータに実行させる広告表示プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールにしたがって前記プッシュ型表示処理により前記広告表示候補を表示画面に表示する表示制御手段、
として機能させることを特徴とする広告表示プログラム。
【請求項１８】
複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理をコンピュータに実行させる広告管理プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールを前記広告表示装置に送信する送信手段、
として機能させることを特徴とする広告管理プログラム。
【請求項１９】
複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示方法であって、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールにしたがって前記プッシュ型表示処理により前記広告表示候補を表示画面に表示する表示工程と、
を含んだことを特徴とする広告表示方法。
【請求項２０】
複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理を実行する広告管理方法であって、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールを前記広告表示装置に送信する送信工程と、
を含んだことを特徴とする広告管理方法。
【発明の詳細な説明】
【技術分野】
【０００１】
本発明は、複数の広告の中から選ばれた広告群の表示スケジュールにしたがって広告群を表示するプッシュ型表示処理と閲覧者から指定されると当該指定された広告に切り替え表示するプル型表示処理とを実行する広告提供システム、広告表示装置、広告管理装置、広告表示プログラム、広告管理プログラム、広告表示方法、および広告管理方法に関するものである。
【背景技術】
【０００２】
従来から、広告には、プッシュ型広告とプル型広告とがある。プッシュ型広告とは、広告の提供者（広告主）が閲覧者に提供する広告であり、例としてテレビのＣＭが挙げられる。一方、プル型広告とは、広告の閲覧者が広告の提供者に要求することにより閲覧する広告であり、たとえば、ＷｅｂサイトのＵＲＬを指定することにより閲覧可能なＷｅｂページ情報が挙げられる。【０００３】
このプッシュ型広告とプル型広告とは別々のメディアに独立しており、プッシュ型広告とプル型広告との連携は広告代理店の運用によって行われてきた。たとえば、サーチエンジン連動広告では、テレビのＣＭによりプッシュ型広告を流して、詳細はＷｅｂサイトにアップロードするという手法をとっている。【０００４】
また、プッシュ型広告からプル型広告への連携は、プッシュ型広告に添付されているリンク情報を広告の閲覧者側で記録しておくことにより実現されるにすぎなかった（たとえば、下記特許文献１、２を参照。）。【０００５】
そこで、複数の広告の中から選ばれた広告群の表示スケジュールにしたがって広告群を表示するプッシュ型表示処理と閲覧者から指定されると当該指定された広告に切り替え表示するプル型表示処理とを実行する広告表示装置が開示されている（たとえば、下記非特許文献１を参照。）。この広告表示装置は、駅、空港、ショッピングセンターなどの公共性の高い場所に設置され、近隣の店舗情報や空港内の案内を画面上に表示するようになっている。【０００６】
【特許文献１】特開２００１‐７６００７号公報
【特許文献２】特開２００４‐１８６７９１号公報
【非特許文献１】富士通ジャーナル  ２００６年４月号  Ｎｅｗテクノロジー（１）、［online］、［平成１９年５月８日検索］、インターネット＜ＵＲＬ：http://jp.fujitsu.com/about/journal/289/newtechnology/＞
【発明の開示】
【発明が解決しようとする課題】
【０００７】
しかしながら、上述した従来技術では、プッシュ型表示処理からプル型表示処理への切り替え操作は閲覧者がおこなわなければならないが、閲覧者によっては操作の仕方がわからない場合や操作方法を忘れている場合がある。【０００８】
また、プッシュ型表示処理では、距離が離れている閲覧者にも見えるように必然的に文字や画像が大きいレイアウトになるが、閲覧者が接近すると却って見づらくなる。したがって、接近した閲覧者によるプル型表示処理への切り替え操作は必須となる。このように、プル型表示処理への切り替え操作は閲覧者がおこなわなければならないため、閲覧者が興味を示した広告の詳細情報を引き出すのに時間や手間がかかるという問題があった。【０００９】
また、閲覧者が興味を示した広告以外の他の広告を閲覧したり、操作が煩わしいために途中で操作をやめたりしてしまうことにより、折角の宣伝の機会を逸失してしまうという問題があった。また、無駄な操作により閲覧者が広告表示装置の手前にいると、プッシュ型広告が表示されず、多くの閲覧者に対する宣伝の機会を逸してしまうという問題があった。【００１０】
また、プル型表示処理では閲覧者から指定されないと表示されないため、プッシュ型表示処理のみに頼ってしまうと、表示頻度が低下してしまう。したがって、広告料金に見合った宣伝効果がないと広告主にとってはメリットがないため、広告効果が薄いと判断した広告主からの広告提供が減少することになり、収益性の面で問題があった。また、広告料金に見合った宣伝効果がなされているか否かの判断が難しいため、宣伝効果の信頼性についても問題があった。【００１１】
本発明は、上記に鑑みてなされたものであって、閲覧者の利便性および広告主からの信頼性の向上を図ることにより、バランスのとれた宣伝をおこなうことができる広告提供システム、広告表示装置、広告管理装置、広告表示プログラム、広告管理プログラム、広告表示方法、および広告管理方法を提供することを目的とする。
【課題を解決するための手段】
【００１２】
上述した課題を解決し、目的を達成するために、この発明にかかる広告提供システムは、複数の広告の中から選ばれた広告群の表示スケジュールにしたがって前記広告群を表示するプッシュ型表示処理と、閲覧者から指定されると当該指定された広告に切り替え表示するプル型表示処理とを実行する広告表示装置と、当該広告表示装置と交信可能に接続され前記広告表示装置を管理する広告管理装置とを備える広告提供システムにおいて、前記広告管理装置は、前記プル型表示処理による前記各広告の表示頻度に基づいて前記複数の広告の中から選ばれた広告群を、広告表示候補として抽出する抽出手段と、前記抽出手段によって前記広告表示候補として抽出された広告群の表示スケジュールを作成する作成手段と、を備え、前記広告表示装置は、表示画面を有する表示手段と、前記表示画面を制御して、前記作成手段によって作成された表示スケジュールにしたがって前記プッシュ型表示処理により前記広告表示候補を表示する表示制御手段と、を備えることを特徴とする。【００１３】
この発明によれば、プル型表示処理による表示頻度が低い広告に関するプッシュ型表示処理による表示頻度が高くなるような表示スケジュールの作成と配信をおこなうことができる。【００１４】
また、この発明にかかる広告表示装置、広告表示方法および広告表示プログラムは、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置、広告表示方法および広告表示プログラムであって、前記プル型表示処理による前記各広告の表示頻度の低さに基づいて前記複数の広告の中から選ばれた広告群を、広告表示候補として抽出し、前記広告表示候補として抽出された広告群の表示スケジュールを作成し、前記表示画面を制御して、作成された表示スケジュールにしたがって前記プッシュ型表示処理により前記広告表示候補を表示することを特徴とする。【００１５】
この発明によれば、プル型表示処理による表示頻度が低い広告に関するプッシュ型表示処理による表示頻度を高くすることができる。【００１６】
また、上記発明において、前記閲覧者を検知し、前記閲覧者が検知された場合、前記表示画面の表示内容を、前記プッシュ型表示処理によるレイアウトから、前記プル型表示処理により前記閲覧者から前記広告表示候補の指定を待ち受けるレイアウトに切り替え表示することとしてもよい。【００１７】
この発明によれば、閲覧者の検知により、表示画面のレイアウトをプッシュ型からプル型に自動切替することができる。【００１８】
また、上記発明において、前記広告表示候補の指定を待ち受けるレイアウトは、前記広告群のうち、前記閲覧者が検知されたときに前記表示画面に前記プッシュ型表示処理により表示されていた広告が、当該広告以外の他の広告よりも特徴的な位置に、または、前記他の広告よりも強調して表示するレイアウトであることとしてもよい。【００１９】
この発明によれば、閲覧者が見たい、知りたい広告の指定を促すことができる。【００２０】
また、この発明にかかる広告管理装置、広告管理方法および広告管理プログラムは、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置に対して交信可能な広告管理装置、広告管理方法および広告管理プログラムであって、前記プル型表示処理による前記各広告の表示頻度の低さに基づいて前記複数の広告の中から選ばれた広告群を、広告表示候補として抽出し、前記広告表示候補として抽出された広告群の表示スケジュールを作成し、作成された表示スケジュールを前記広告表示装置に送信することを特徴とする。【００２１】
この発明によれば、プル型表示処理による表示頻度が低い広告に関するプッシュ型表示処理による表示頻度が高くなるように、表示スケジュールを作成して、広告表示装置に配信することができる。【００２２】
また、上記発明において、さらに、前記複数の広告の最低保証表示頻度に基づいて前記複数の広告の中から選ばれた広告群を、前記広告表示候補として抽出することとしてもよい。具体的には、前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することとしてもよい。【００２３】
この発明によれば、最低保証表示頻度も満足するように表示スケジュールを作成することができる。【００２４】
また、上記発明において、前記広告表示候補の表示頻度に基づいて表示順や表示時間を設定することにより、前記スケジュールを作成することとしてもよい。【００２５】
この発明によれば、表示スケジュールを自動的に編集することができる。【００２６】
また、上記発明において、前記プル型表示処理に関する重み値を前記プル型表示処理による表示頻度に重み付けしたポイントと、前記重み値よりも軽い前記プッシュ型表示処理に関する重み値を前記プッシュ型表示処理による表示頻度に重み付けしたポイントとに基づいて、広告効果に関するポイントを前記広告ごとに算出し、前記ポイント算出手段によって算出された広告効果に関するポイントの低さに基づいて前記複数の広告の中から選ばれた広告群を、前記広告表示候補として抽出することとしてもよい。【００２７】
この発明によれば、広告効果に関するポイントが低い広告に関するプッシュ型表示処理による表示頻度が高くなるように、表示スケジュールを作成して、広告表示装置に配信することができる。【００２８】
また、上記発明において、前記プッシュ型表示処理に関する重み値は、前記表示画面における表示面積の大きさや前記表示画面上の特定位置からの距離に応じて複数種類設定されていることとしてもよい。【００２９】
この発明によれば、プッシュ型のレイアウトに応じて広告効果に関するポイントを調整することができる。【００３０】
また、上記発明において、さらに、前記複数の広告の最低保証表示頻度に基づいて前記複数の広告の中から選ばれた広告群を、前記広告表示候補として抽出することとしてもよい。具体的には、前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することとしてもよい。【００３１】
この発明によれば、最低保証表示頻度も満足するように表示スケジュールを作成することができる。【００３２】
また、上記発明において、前記作成手段は、前記広告表示候補の前記広告効果に関するポイントに基づいて表示順や表示時間を設定することにより、前記スケジュールを作成することとしてもよい。【００３３】
この発明によれば、表示スケジュールを自動的に編集することができる。【００３４】
また、上記発明において、前記複数の広告の総予定広告料金と、前記複数の広告の総表示頻度と、前記各広告の表示頻度と、に基づいて、前記各広告の実広告料金を算出する料金算出手段を備えることとしてもよい。【００３５】
この発明によれば、広告の宣伝効果に見合った料金を算出することができる。
【発明の効果】
【００３６】
本発明にかかる広告提供システム、広告表示装置、広告管理装置、広告表示プログラム、広告管理プログラム、広告表示方法、および広告管理方法は、閲覧者の利便性および広告主からの信頼性の向上を図ることにより、バランスのとれた宣伝をおこなうことができるという効果を奏する。
【図面の簡単な説明】
【００３７】
【図１】図１は、この発明の実施の形態にかかる広告提供システムの概要を示す説明図である。
【図２】図２は、広告表示装置を示す正面図である。
【図３】図３は、広告表示装置のディスプレイの画面遷移を示す説明図である。
【図４】図４は、ＤＢの記憶内容を示す説明図である。
【図５】図５は、重みテーブルを示す説明図である。
【図６】図６は、この発明の実施の形態にかかる広告提供システムの機能的構成を示すブロック図である。
【図７】図７は、表示スケジュールの作成例を示す説明図である。
【図８】図８は、この発明の実施の形態にかかる広告管理装置による広告管理処理手順を示すフローチャートである。
【図９】図９は、図８に示した料金算出処理の詳細な処理手順を示すフローチャートである。
【図１０】図１０は、広告表示装置による広告表示処理手順を示すフローチャートである。
【符号の説明】
【００３８】
１００  広告提供システム
１０１  広告管理装置
１０２  広告表示装置
１１０  ＤＢ
２０１  ディスプレイ
２０２  人体検知センサ
３０１  プッシュ型全面表示領域
３０２  操作領域
３０３  プル型表示領域
３０４  プッシュ型縮小表示領域
５００  重みテーブル
６０１  抽出部
６０２  作成部
６０３  送信部（広告管理装置側）
６０４  算出部
６０５  受信部（広告管理装置側）
６０６  更新部
６１１  受信部（広告表示装置側）
６１２  表示制御部
６１３  検知部
６１４  計数部
６１５  送信部（広告表示装置側）
７００  広告スケジュール
【発明を実施するための最良の形態】
【００３９】
（広告提供システムの概要）
まず、この発明の実施の形態にかかる広告提供システムの概要について説明する。図１は、この発明の実施の形態にかかる広告提供システム１００の概要を示す説明図である。図１において、広告提供システム１００は、広告管理装置１０１と広告表示装置１０２とがＬＡＮ，ＷＡＮ，インターネットなどのネットワーク１０３を介して交信可能に接続されて構成されている。【００４０】
広告管理装置１０１は、広告表示装置１０２を管理するサーバとして機能し、広告表示装置１０２に対して表示スケジュールを配信するとともに、その管理に必要なデータをＤＢ（データベース）１１０に格納している。広告表示装置１０２は、空港、駅、店舗、街頭などの消費者に密着した現場に設置されている。広告表示装置１０２は、広告管理装置１０１から表示スケジュールを受信することにより、表示スケジュールにしたがって広告を表示する。【００４１】
なお、この広告提供システム１００では、ＤＢ１１０に格納されている広告データのうち表示スケジュール中の広告群の広告データを、表示スケジュールとともに広告管理装置１０１から配信することにより、広告表示装置１０２において表示スケジュールにしたがって表示する。【００４２】
また、各広告表示装置１０２にあらかじめすべての広告データを内部の記憶領域（メモリまたはＨＤ）に格納しておき、広告管理装置１０１から表示スケジュールが配信されると、その表示スケジュール中の広告群の広告データを表示スケジュールにしたがって記憶領域から呼び出して表示することとしてもよい。【００４３】
さらに、広告データを更新する都度、広告管理装置１０１から全広告表示装置１０２に配信する構成としてもよい。いずれにしても、広告データは、広告表示装置１０２において表示される直前までに広告表示装置１０２に格納されていればよい。【００４４】
（広告表示装置１０２の概要）
図２は、広告表示装置１０２を示す正面図である。広告表示装置１０２は、大画面のディスプレイ２０１と人体検知センサ２０２とスピーカ２０３を備えている。ディスプレイ２０１には、広告の画像データまたは動画像データ（以下、「広告データ」という）が表示される。広告表示装置１０２は、複数の広告の中から選ばれた広告群の表示スケジュールにしたがって広告群を表示するプッシュ型表示処理を実行することにより、ディスプレイ２０１のほぼ全域を使用して広告が表示される。【００４５】
また、人体検知センサ２０２は、たとえば、赤外線センサにより構成されており、人体を検知すると、閲覧者に指定させるための縮小広告画像一覧を表示する。そして、縮小広告一覧の中から任意の縮小広告が指定されると当該指定された広告に切り替え表示するプル型表示処理とを実行する。また、スピーカ２０３は、広告の内容や広告表示装置の使用方法を音声出力する。なお、広告表示装置１０２をスタンドアロン型にする場合、広告管理装置１０１のすべての機能を広告表示装置１０２に搭載することとなる。【００４６】
（ディスプレイ２０１の画面遷移）
図３は、広告表示装置１０２のディスプレイ２０１の画面遷移を示す説明図である。ここでは、全広告をＡ〜Ｉとし、広告表示候補となった広告をＡ〜Ｅとし、その表示スケジュールを「Ａ⇒Ｂ⇒Ｃ⇒Ｄ⇒Ｅ」とする。広告表示装置１０２では、この表示スケジュールにしたがって広告Ａ〜Ｅが周期的に順次表示される。【００４７】
まず、（ａ）は、プッシュ型表示処理を示している。プッシュ型表示処理による表示状態を、「広告表示モード」と呼ぶ。広告表示モードのレイアウトにおいて、符号３０１はプッシュ型全面表示領域である。プッシュ型全面表示領域３０１では、離れた閲覧者から広告が見やすいように、ディスプレイ２０１のほぼ全域が使用され、表示スケジュールにしたがったプッシュ型表示処理が実行される。すなわち、プッシュ型表示領域に広告Ａ〜Ｅが順次表示されることとなる。（ａ）では、丁度広告Ｃがプッシュ型表示されている状態を示している。【００４８】
また、符号３０２の点線は、タッチパネル式の操作領域であり、手前まで移動してきた閲覧者が接触することで所定の操作をすることができる。プッシュ型表示処理中は、操作領域３０２には、「画面にタッチ」といった閲覧者の操作を促す文字列が表示される。（ａ）のプッシュ型表示処理中、図２に示した人体検知センサ２０２により人体を検知すると、（ｂ）の状態に遷移する。【００４９】
（ｂ）は、案内板モードにおける未操作状態のレイアウトを示している。符号３０３は、プル型表示領域であり、閲覧者から指定された広告の広告データが表示されることとなる。また、操作領域３０２には、表示スケジュールの広告Ａ〜Ｅのサムネイル画像が表示スケジュール順に表示され、閲覧者からの指定を待ち受けている。【００５０】
この一連のサムネイル画像の中央には、人体検知センサ２０２による検知時にプッシュ型全面表示領域３０１に表示されていた広告のサムネイル画像が配置される。ここでは、広告Ｃのサムネイル画像が中央に配置されている。【００５１】
このように、閲覧者が検知されたときにディスプレイ２０１にプッシュ型表示処理により表示されていた広告Ｃが、広告Ｃ以外の他の広告Ａ，Ｂ，Ｄ，Ｅよりも特徴的な位置に表示されている。また、特徴的な位置に限らず、閲覧者が検知されたときにディスプレイ２０１にプッシュ型表示処理により表示されていた広告Ｃが、他の広告Ａ，Ｂ，Ｄ，Ｅよりも強調表示されていてもよい。【００５２】
これにより、広告表示装置１０２から離れた位置にいる閲覧者がプッシュ型全面表示領域３０１の広告Ｃに引き寄せられて広告表示装置１０２に近づくと人体検知センサ２０２により検知される。そして、広告表示装置１０２の前にたつと、閲覧者が見たい、知りたいと思った広告Ｃのサムネイル画像が操作領域３０２中、指定しやすい中央の位置に配置される。したがって、使用頻度の低い不慣れな閲覧者にとっても使い勝手がよく、見たい、知りたい情報を即座に取り出す（プッシュ）することができる。【００５３】
なお、人体検知センサ２０２により検知されたときの広告Ｃのサムネイル画像を中心にして、左側には検知前に表示された広告のサムネイル画像Ａ，Ｂが逆順で表示され、右側には後続の広告のサムネイル画像Ｄ，Ｅが表示される。【００５４】
また、符号３０４は、プッシュ型縮小表示領域である。プッシュ型縮小表示領域３０４には、表示スケジュールから外れた広告Ｆ〜Ｉのサムネイル画像が表示される。また、（ｂ）の状態においては、プル型表示領域３０３は操作領域３０２から指定されるまで非表示としてもよく、操作領域３０２への操作を促す案内を表示することとしてもよい。【００５５】
通常、閲覧者が広告表示装置１０２の前に位置していると、閲覧者の体がプル型表示領域３０３と重なっているため、広告表示装置１０２から離れている閲覧者には広告がよく見えないこととなる。そのため、プッシュ型縮小表示領域３０４を、プル型表示領域３０３の上半部より上にレイアウトすることにより、プル型表示とプッシュ型表示とを同時に実現することができる。【００５６】
（ｃ）は、案内板モードにおける操作状態のレイアウトを示している。ここでは、広告Ｃのサムネイル画像が指定されたことを反転表示により示している。操作領域３０２のサムネイル画像が指定されると、その指定された広告の詳細な広告データがプル型表示領域３０３に表示される。【００５７】
なお、プル型表示領域３０３の下端縁領域は、操作領域３０２とオーバーラップしているため、この下端縁領域に広告の詳細情報の切替操作画像を表示しておくことで、閲覧者の操作により、詳細情報を切り替えることができる。（ｃ）では詳細情報として、インフォメーション（図中、「Ｉｎｆｏ」）、お勧め情報（図中、「イチオシ」）、地図情報（図中、「Ｍａｐ」）を指定することができる。【００５８】
（ＤＢ１１０の記憶内容）
図４は、ＤＢ１１０の記憶内容を示す説明図である。図４において、ＤＢ１１０には、広告ごとに、表示頻度、広告効果ポイント、契約内容、分担率、実広告料金、契約達成率、ペナルティ料金が記憶されている。これらの情報は必要に応じて随時更新される。【００５９】
まず、表示頻度とは、広告（広告データ）の出現度合いを示す情報であり、表示回数や表示時間によりあらわすことができる。ここでは、表示回数として説明する。表示頻度は、プッシュ型全面表示領域３０１、プッシュ型縮小表示領域３０４、プル型表示領域３０３に分けて計数される。広告効果ポイントとは、広告の宣伝効果を数値化した情報であり、表示頻度に基づいて算出される。表示頻度そのものであってもよい。【００６０】
また、契約内容とは、広告表示に関する契約に基づいて設定された数値情報であり、ここでは、予定広告料金と最低保証表示頻度が設定されている。予定広告料金とは、ある期間内の広告料金の見積もりである。また、最低保証表示頻度とは、広告主が予定広告料金を支払う場合に最低限保証される表示頻度であり、ここでは例としてプッシュ型全面表示領域３０１の表示頻度で保証している。【００６１】
また、分担率とは、実広告料金を算出するための比率であり、下記式（１）により広告ごとに算出される。【００６２】
分担率＝広告効果ポイント／全広告の広告効果ポイントの合計値・・・（１）【００６３】
実広告料金とは、実際に広告主が支払う広告料金であり、下記式（２）により広告ごとに算出される。【００６４】
実広告料金＝（予定広告料金／全広告の予定広告料金の合計値）×分担率・・・（２）【００６５】
契約達成率とは、契約内容が達成されたか否かを示す比率であり、１００％以上で契約内容が達成されたことをあらわす。契約達成率は、下記式（３）により広告ごとに算出される。【００６６】
契約達成率＝プッシュ型全面表示領域の表示頻度／最低保証表示頻度・・・（３）【００６７】
なお、分母の最低保証表示頻度はプッシュ型全面表示領域３０１の表示頻度を保証する表示頻度であるため、分子はプッシュ型全面表示領域３０１の表示頻度となる。したがって、分母の最低保証表示頻度がプル型表示領域３０３の表示頻度を保証する表示頻度となれば、分子もプル型表示領域３０３の表示頻度となる。【００６８】
また、ペナルティ料金は、契約達成率が１００％未満の場合に広告主に対して還元される料金であり、下記式（４）により広告ごとに算出される。なお、契約達成率が１００％以上の広告については算出されない。【００６９】
ペナルティ料金＝実広告料金×（１−契約達成率）・・・（４）【００７０】
図５は、重みテーブルを示す説明図である。重みテーブル５００はＤＢ１１０に格納されている。重みテーブル５００の重み値は、広告表示のレイアウト（表示面積の大きさやディスプレイ２０１上の特定位置からの距離）ごとに設定されており、広告効果ポイントの算出に用いられる。プッシュ型表示処理に関する重み値は、レイアウトに応じて複数種類設定される。【００７１】
図５では、プッシュ型全面表示領域３０１の表示頻度については重み値ｗ１＝２、プッシュ型縮小表示領域３０４の表示頻度については重み値ｗ２＝１、プル型表示領域３０３の表示頻度については重み値ｗ３＝１０が設定されている。各重み値ｗ１〜ｗ３は対応する表示頻度に重み付け（乗算）される。たとえば、広告Ａについては、下記式により広告効果ポイントが算出される。【００７２】
広告Ａの広告効果ポイント＝２５×ｗ１＋２０×ｗ２＋４０×ｗ３
＝２５×２＋２０×１＋４０×１０
＝４７０【００７３】
なお、各表示頻度のうち広告効果ポイントの算出元から除外したい表示頻度がある場合、その表示頻度の重み値を「０」に設定しておけばよい。たとえば、プル型表示領域３０３の表示頻度のみとしたい場合には、他の表示頻度の重み値ｗ１，ｗ２をｗ１＝０、ｗ２＝０としておくことにより、算出される広告効果ポイントは実質的にプル型表示領域３０３の表示頻度のみとなる。【００７４】
（広告提供システム１００の機能的構成）
つぎに、この発明の実施の形態にかかる広告提供システム１００の機能的構成について説明する。図６は、この発明の実施の形態にかかる広告提供システム１００の機能的構成を示すブロック図である。【００７５】
図６において、広告提供システム１００のうち、まず、広告管理装置１０１の機能的構成について説明する。広告管理装置１０１は、抽出部６０１と作成部６０２と送信部６０３と算出部６０４と受信部６０５と更新部６０６とを備えている。なお、各機能６０１〜６０６は、メモリまたはＨＤなどの記憶領域に記憶されているプログラムを、ＣＰＵに実行させることによって、またはＩ／Ｆによって、その機能を実現する。【００７６】
抽出部６０１は、プル型表示処理による各広告の表示頻度に基づいて複数の広告の中から選ばれた広告群を、広告表示候補として抽出する機能を有する。具体的には、複数の広告の中から表示頻度が所定頻度以下の広告群を広告表示候補として抽出する。【００７７】
ここで、基準となる表示頻度は、プッシュ型全面表示領域３０１の表示頻度、プッシュ型縮小表示領域３０４の表示頻度、プル型表示領域３０３の表示頻度のいずれの表示頻度であってもよい。特に、プル型表示領域３０３の表示頻度を採用し、所定頻度以下の広告群を広告表示候補として抽出すると、閲覧者から積極的に呼び出されていない広告を、広告表示候補として抽出することになる。【００７８】
このように、プル型表示領域３０３の表示頻度が少ない広告を優先的に広告表示候補に含めることにより、プッシュ型広告表示される機会が増加するため、全体として広告表示頻度が平準化することとなる。また、複数の広告を表示頻度の昇順に並べた場合、所定の順位までの広告群を広告表示候補として抽出することとしてもよい。このように、所定頻度を基準とした絶対的な評価だけでなく、表示頻度の昇順という相対的な評価を基準とすることもできる。【００７９】
また、表示頻度ではなく、上述した広告効果ポイントに基づいて複数の広告の中から選ばれた広告群を、広告表示候補として抽出したり、複数の広告を広告効果ポイントの昇順に並べた場合、所定の順位までの広告群を広告表示候補として抽出することとしてもよい。【００８０】
さらに、複数の広告の最低保証表示頻度に基づいて複数の広告の中から選ばれた広告群を、広告表示候補として抽出することとしてもよい。具体的には、複数の広告のうち広告表示候補として抽出された広告群から外れた広告の中に、最低保証表示頻度未満の広告が存在する場合、広告群の中から選ばれた広告と最低保証表示頻度未満の広告とを入れ替えることにより、入れ替え後の広告群を広告表示候補として再抽出する。【００８１】
たとえば、基準となる所定頻度を「２０」とした場合（昇順の上位６位の場合も同様）、図４を参照すると、広告Ｂ〜Ｆ，Ｈが広告表示候補として抽出される。ここで、広告Ａのプッシュ型全面表示領域３０１の表示頻度は「２５」であり、最低保証表示頻度「３０」を満たしていないため、最低保証表示頻度を満たしている広告Ｄ〜Ｆ，Ｈの中から選ばれた広告と広告Ａとを入れ替える。これにより、全体として最低保証表示頻度以上となるように調整することができる。【００８２】
なお、この場合、広告Ａとの入れ替え対象となる広告は、広告Ｄ，Ｅ，Ｈの中からランダムに決めてもよい。プル型表示領域３０３の表示頻度が高い広告を優先的に入れ替え対象としてもよい。好ましくは、広告Ｄ，Ｅ，Ｈ中、プル型表示領域３０３の表示頻度が高い広告Ｄ，Ｅや、最低保証表示頻度「３０」を満たしている広告Ｄ，Ｅ，Ｈが入れ替え対象としてふさわしい。【００８３】
また、作成部６０２は、抽出部６０１によって広告表示候補として抽出された広告群の表示スケジュールを作成する機能を有する。広告表示装置１０２が複数ある場合、すべての広告表示装置１０２に対し同一の表示スケジュールを作成してもよく、広告表示装置１０２ごとに異なる表示スケジュールを作成することとしてもよい。【００８４】
図７は、表示スケジュールの作成例を示す説明図である。図７において、広告表示候補として選ばれた広告群Ａ〜Ｅをランダムに並べ替えることにより、広告スケジュール７００を作成する。【００８５】
また、各広告に確率分布を割り振るとともに乱数を順次生成し、出現した乱数に対応する広告を選択して、選択順に並べることとしてもよい。たとえば、広告Ａ〜Ｃ，Ｅには確率分布０．１が割り振られ、広告Ｄには確率分布０．６が割り振られているため、乱数が０．０≦ｒ≦１．０の場合には広告Ａが選ばれ、乱数が０．１＜ｒ≦０．２の場合には広告Ｂが選ばれ、乱数が０．２＜ｒ≦０．３の場合には広告Ｃが選ばれ、乱数が０．３＜ｒ≦０．９の場合には広告Ｄが選ばれ、乱数が０．９＜ｒ≦１．０の場合には広告Ｅが選ばれることとなる。【００８６】
また、各広告の確率分布に重み付けをして乱数を順次生成し、出現した乱数に対応する広告を選択して、選択順に並べることとしてもよい。たとえば、広告Ａ，Ｃ，Ｅには０．１の重み、広告Ｂ，Ｄには０．３の重みが与えられているため、乱数が０．０≦ｒ≦１．０の場合には広告Ａが選ばれ、乱数が０．１＜ｒ≦０．４の場合には広告Ｂが選ばれ、乱数が０．４＜ｒ≦０．５の場合には広告Ｃが選ばれ、乱数が０．５＜ｒ≦２．３の場合には広告Ｄが選ばれ、乱数が２．３＜ｒ≦２．４の場合には広告Ｅが選ばれることとなる。【００８７】
また、作成部６０２は、広告表示候補の表示頻度に基づいて表示順を設定することにより、表示スケジュールを作成することとしてもよい。具体的には、プル型表示領域３０３の表示頻度を昇順にソートすることにより、表示スケジュールを作成することとしてもよい。【００８８】
また、図７に示した例では、広告ごとの表示時間があらかじめ設定されているが、その表示時間を広告表示候補の表示頻度に基づいて表示時間を設定することとしてもよい。具体的には、プル型表示領域３０３の表示頻度を昇順にソートした場合、より上位の広告の表示時間が長くなるように設定する。たとえば、図７に示した広告表示候補Ａ〜Ｅをプル型表示領域３０３の表示頻度を昇順にソートすると、「Ｃ⇒Ｂ⇒Ｅ⇒Ｄ⇒Ａ」となるため、広告Ｃの表示時間が最も長く、広告Ａの表示時間が最も短くなるように設定することができる。【００８９】
また、算出部６０４は、各種演算処理を実行する機能を有する。具体的には、上記式（１）〜（４）の計算処理をおこなう。これにより、図４に示した分担率、実広告料金、契約達成率、ペナルティ料金を広告ごとに算出することができる。【００９０】
また、図６において、送信部６０３は、作成部６０２によって作成された表示スケジュールを広告表示装置１０２に送信する機能を有する。なお、広告データは、表示スケジュールとともに配信してもよく、また、あらかじめ広告表示装置１０２に配信しておくこととしてもよい。【００９１】
また、受信部６０５は、広告表示装置１０２から送信されてくる計数結果を受信する機能を有する。計数結果とは、広告表示装置１０２において表示された広告の表示頻度である。また、更新部６０６は、受信された計数結果を用いてＤＢ１１０の表示頻度を更新する。この表示頻度の更新により、算出部６０４は、図４に示した分担率、実広告料金、契約達成率、ペナルティ料金を広告ごとに再計算して、ＤＢ１１０に上書きする。【００９２】
つぎに、広告表示装置１０２の機能的構成について説明する。広告表示装置１０２は、受信部６１１と検知部６１３と表示制御部６１２と計数部６１４と送信部６１５とを備えている。なお、各機能は、メモリまたはＨＤなどの記憶領域に記憶されているプログラムを、ＣＰＵに実行させることによって、またはＩ／Ｆによって、その機能を実現する。【００９３】
受信部６１１は、広告管理装置１０１から送信されてくる表示スケジュールを受信する機能を有する。なお、広告データも送信されてきた場合は広告データも受信する。検知部６１３は、外部からの入力を検知する。具体的には、人体検知センサ２０２からの検知信号を受け付けることにより、閲覧者の接近、近接配置を検知する。同様に、操作領域３０２への接触の検知信号を受け付けることにより、閲覧者が広告のサムネイル画像を指定したことを検知する。【００９４】
また、表示制御部６１２は、ディスプレイ２０１を制御して、広告を表示する機能を有する。具体的には、受信された表示スケジュールにしたがってプッシュ型表示処理により広告を表示する。また、プッシュ型表示処理中に検知部６１３により人体が検知されると、図３の（ｂ）に示したような案内板モードに切り替え表示する。さらに、検知部６１３によりサムネイル画像の指定が検知されると、図３の（ｃ）に示したように、指定されたサムネイル画像の広告の広告データを、プル型表示領域３０３に表示する。【００９５】
また、計数部６１４は、表示制御部６１２により表示された広告の表示頻度を計数する機能を有する。具体的には、プッシュ型全面表示領域３０１の表示頻度、プッシュ型縮小表示領域３０４の表示頻度、プル型表示領域３０３の表示頻度に分けて計数する。計数結果は所定のタイミングで送信部６１５に送られ、リセットされる。【００９６】
また、送信部６１５は、計数部６１４によって計数された計数結果を広告管理装置１０１に送信する機能を有する。これにより、広告管理装置１０１のＤＢ１１０の表示頻度が最新の状態に更新される。【００９７】
なお、上述した広告管理装置１０１の各機能６０１〜６０６の一部およびＤＢ１１０を広告表示装置１０２が備えることとしてもよい。特に、広告表示装置１０２をスタンドアロン型として機能させる場合は、広告管理装置１０１の各機能６０１〜６０６およびＤＢ１１０を広告表示装置１０２が備えることとなる。【００９８】
（広告管理装置１０１による広告管理処理手順）
つぎに、この発明の実施の形態にかかる広告管理装置１０１による広告管理処理手順について説明する。図８は、この発明の実施の形態にかかる広告管理装置１０１による広告管理処理手順を示すフローチャートである。図８において、まず、期末か否かを判断する（ステップＳ８０１）。期末とは、ある期間の末日である。期末である場合（ステップＳ８０１：Ｙｅｓ）、算出部６０４により料金算出処理を実行して（ステップＳ８０２）、ステップＳ８０１に戻る。【００９９】
一方、期末でない場合（ステップＳ８０１：Ｎｏ）、ＤＢ１１０から各広告の表示頻度を読み出す（ステップＳ８０３）。そして、広告効果ポイントを算出する（ステップＳ８０４）。算出された広告効果ポイントはＤＢ１１０に上書きされる。つぎに、抽出部６０１により広告表示候補を抽出する（ステップＳ８０５）。そして、作成部６０２により表示スケジュールを作成して（ステップＳ８０６）、送信部６０３により広告表示装置１０２に送信する（ステップＳ８０７）。【０１００】
このあと、表示頻度（広告表示装置１０２の計数部６１４による計数結果）が受信されたか否かを判断し（ステップＳ８０８）、受信されていない場合には（ステップＳ８０８：Ｎｏ）、ステップＳ８０１に戻る。一方、受信された場合（ステップＳ８０８：Ｙｅｓ）、ＤＢ１１０の表示頻度を更新して（ステップＳ８０９）。ステップＳ８０１に戻る。【０１０１】
図９は、図８に示した料金算出処理の詳細な処理手順を示すフローチャートである。図９において、料金算出処理では、まず、未処理の広告について、表示頻度および予定広告料金をＤＢ１１０から読み出し（ステップＳ９０１）、広告効果ポイントを算出する（ステップＳ９０２）。つぎに、実広告料金を算出する（ステップＳ９０３）。【０１０２】
そして、最低保証表示頻度を満たしているか否かを判断し（ステップＳ９０４）、満たしている場合には（ステップＳ９０４：Ｙｅｓ）、ステップＳ９０６に移行する。一方、満たしていない場合には（ステップＳ９０４：Ｎｏ）、ペナルティ料金を算出する（ステップＳ９０５）。ステップＳ９０６では、算出結果を保持（ＤＢ１１０への上書き）・出力する（ステップＳ９０６）。【０１０３】
そして、未処理の広告があるか否かを判断し（ステップＳ９０７）、未処理の広告がある場合（ステップＳ９０７：Ｙｅｓ）、ステップＳ９０１に戻る。一方、未処理の広告がない場合（ステップＳ９０７：Ｎｏ）、ステップＳ８０１に移行する。【０１０４】
（広告表示装置１０２による広告表示処理手順）
つぎに、広告表示装置１０２による広告表示処理手順について説明する。図１０は、広告表示装置１０２による広告表示処理手順を示すフローチャートである。図１０において、所定の送信時刻か否かを判断し（ステップＳ１００１）、送信時刻でない場合（ステップＳ１００１：Ｎｏ）、ステップＳ１００３に移行する。一方、送信時刻である場合（ステップＳ１００１：Ｙｅｓ）、表示頻度の計数値（計数結果）を広告管理装置１０１に送信する（ステップＳ１００２）。【０１０５】
そして、ステップＳ１００３では、広告管理装置１０１から表示スケジュールが受信されたか否かを判断する（ステップＳ１００３）。受信された場合（ステップＳ１００３：Ｙｅｓ）、その表示スケジュールを設定して（ステップＳ１００４）、ステップＳ１００６に移行する。一方、受信されていない場合（ステップＳ１００３：Ｎｏ）、表示スケジュールが設定済みか否かを判断する（ステップＳ１００５）。【０１０６】
設定済みでない場合（ステップＳ１００５：Ｎｏ）、ステップＳ１００１に戻る。一方、設定済みである場合（ステップＳ１００５：Ｙｅｓ）、表示制御部６１２により、設定された表示スケジュールにしたがってプッシュ型表示処理を実行する（ステップＳ１００６）。【０１０７】
そして、計数部６１４により、プッシュ型表示処理による広告の表示頻度を計数する（ステップＳ１００７）。このあと、プッシュ型表示処理を開始してから所定時間Ｔ１が経過したか否かを判断する（ステップＳ１００８）。この所定時間Ｔ１は送信時刻および表示スケジュールの受信を確認するために設定された時間である。【０１０８】
Ｔ１が経過した場合（ステップＳ１００８：Ｙｅｓ）、ステップＳ１００１に戻る。一方、Ｔ１が経過していない場合（ステップＳ１００８：Ｎｏ）、人体検知センサ２０２が人体を検知したか否かを判断する（ステップＳ１００９）。人体を検知していない場合（ステップＳ１００９：Ｎｏ）、ステップＳ１００６に戻る。一方、人体を検知した場合（ステップＳ１００９：Ｙｅｓ）、案内板モードに切り替える（ステップＳ１０１０）。【０１０９】
そして、案内板モードへの切替開始から所定時間Ｔ２が経過したか否かを判断する（ステップＳ１０１１）。所定時間Ｔ２は、案内板モード（図３の（ｂ））から広告表示モード（図３の（ａ））に戻すための制限時間である。そして、Ｔ２が経過した場合（ステップＳ１０１１：Ｙｅｓ）、ステップＳ１００６に戻ることにより、広告表示モードに切り替えられ、プッシュ型表示処理を実行することとなる。【０１１０】
一方、Ｔ２が経過していない場合（ステップＳ１０１１：Ｎｏ）、Ｔ２の経過前に操作領域３０２内の広告のサムネイル画像が閲覧者により指定されたか否かを判断する（ステップＳ１０１２）。指定されていない場合（ステップＳ１０１２：Ｎｏ）、ステップＳ１０１１に戻る。【０１１１】
一方、いずれかの広告のサムネイル画像が指定された場合（ステップＳ１０１２：Ｙｅｓ）、指定された広告の広告データをプル型表示領域３０３に表示する（ステップＳ１０１３）。そして、プル型表示領域３０３への表示が開始されてから所定時間Ｔ３が経過したか否かを判断する（ステップＳ１０１４）。【０１１２】
この所定時間Ｔ３は、数秒程度の時間である。Ｔ３が経過していない場合（ステップＳ１０１４：Ｎｏ）、ステップＳ１０１２に戻る。一方、Ｔ３が経過した場合（ステップＳ１０１４：Ｙｅｓ）、プル型表示処理による表示頻度として計数する（ステップＳ１０１５）。【０１１３】
ステップＳ１０１５の計数に先立って、所定時間Ｔ３の経過を条件とすることにより、いたずらや早押しにより操作領域３０２への接触の繰り返しといった、広告効果のない表示頻度の計数を防止することができ、広告効果の信頼性の向上を図ることができる。【０１１４】
このように、本実施の形態では、スライドショーのようなプッシュ型の広告と案内板のようなプル型の広告とを連携させて、広告主と広告管理者との契約内容に基づいて表示レイアウトと表示スケジュールを自動的に決定して表示することが可能となり、より高い広告効果を期待することができる。【０１１５】
また、プッシュ型表示領域の表示頻度やレイアウト、および、プル型表示領域３０３の表示頻度から複合的に広告効果を測定し、その広告効果に基づいて複数の広告主の間での広告費用の負担割合を自動的に決定することができるので、実際の広告効果に近い実広告料金を算出することが可能となる。【０１１６】
また、プッシュ型のレイアウトとプル型のレイアウトとを閲覧者の位置に応じて自動切り替えすることができ、閲覧者にとって利便性の高い広告表示をおこなうことができる。特に、閲覧者を検知したときの広告を縮小化し、プッシュ型の縮小表示一覧中、特徴的な位置に配置したり、強調表示することにより、接近してきた閲覧者に検知時の広告を直感的に指定しやすくすることができる。したがって、より利便性の高い広告表示をおこなうことができる。【０１１７】
以上のことから、この発明の実施の形態によれば、閲覧者の利便性および広告主からの信頼性の向上を図ることにより、バランスのとれた宣伝をおこなうことができる。【０１１８】
なお、本実施の形態のフローチャートで説明した方法（図８〜図１０）は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。【０１１９】
また、本実施の形態で説明した広告管理装置１０１や広告表示装置１０２は、スタンダードセルやストラクチャードＡＳＩＣ(Application Specific Integrated Circuit)などの特定用途向けＩＣ（以下、単に「ＡＳＩＣ」と称す。）やＦＰＧＡなどのＰＬＤ(Programmable Logic Device)によっても実現することができる。具体的には、たとえば、図６に示した広告管理装置１０１や広告表示装置１０２の機能的構成をＨＤＬ記述によって機能定義し、そのＨＤＬ記述を論理合成してＡＳＩＣやＰＬＤに与えることにより、広告管理装置１０１や広告表示装置１０２を製造することができる。
【産業上の利用可能性】
【０１２０】
以上のように、本発明にかかる広告提供システム、広告表示装置、広告管理装置、広告表示プログラム、広告管理プログラム、広告表示方法、および広告管理方法は、空港、駅、店舗などの施設内や街頭などの現場での利用に適している。
【図１】
2008139600.tif 000003
【図２】
2008139600.tif 000004
【図３】
2008139600.tif 000005
【図４】
2008139600.tif 000006
【図５】
2008139600.tif 000007
【図６】
2008139600.tif 000008
【図７】
2008139600.tif 000009
【図８】
2008139600.tif 000010
【図９】
2008139600.tif 000011
【図１０】
2008139600.tif 000012
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
複数の広告の中から選ばれた広告群の表示スケジュールにしたがって前記広告群を表示するプッシュ型表示処理と、閲覧者から指定されると当該指定された広告に切り替え表示するプル型表示処理とを実行する広告表示装置と、当該広告表示装置と交信可能に接続され前記広告表示装置を管理する広告管理装置とを備える広告提供システムであって、
前記広告管理装置は、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、を備え、
前記広告表示装置は、
表示画面を有する表示手段と、
前記表示画面を制御して、前記作成手段によって作成された表示スケジュールにしたがって前記プッシュ型表示処理により前記広告表示候補を表示する表示制御手段と、を備えることを特徴とする広告提供システム。
【請求項２】
複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置であって、
前記プル型表示処理による前記各広告の表示頻度に基づいて前記複数の広告の中から選ばれた広告群を、広告表示候補として抽出する抽出手段と、
前記抽出手段によって前記広告表示候補として抽出された広告群の表示スケジュールを作成する作成手段と、
表示画面を有する表示手段と、
前記表示画面を制御して、前記作成手段によって作成された表示スケジュールにしたがって前記プッシュ型表示処理により前記広告表示候補を表示する表示制御手段と、
を備えることを特徴とする広告表示装置。
【請求項３】
前記閲覧者を検知する検知手段を備え、
前記表示制御手段は、
前記検知手段によって前記閲覧者が検知された場合、前記表示画面の表示内容を、前記プッシュ型表示処理によるレイアウトから、前記プル型表示処理により前記閲覧者から前記広告表示候補の指定を待ち受けるレイアウトに切り替え表示することを特徴とする請求項２に記載の広告表示装置。
【請求項４】
前記広告表示候補の指定を待ち受けるレイアウトは、前記広告群のうち、前記閲覧者が検知されたときに前記表示画面に前記プッシュ型表示処理により表示されていた広告が、当該広告以外の他の広告よりも特徴的な位置に、または、前記他の広告よりも強調して表示するレイアウトであることを特徴とする請求項２に記載の広告表示装置。
【請求項５】
複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置に対して交信可能な広告管理装置であって、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、
前記作成手段によって作成された表示スケジュールを前記広告表示装置に送信する送信手段と、
を備えることを特徴とする広告管理装置。
【請求項６】
前記抽出手段は、
さらに、前記複数の広告の最低保証表示頻度に基づいて前記複数の広告の中から選ばれた広告群を、前記広告表示候補として抽出することを特徴とする請求項５に記載の広告管理装置。
【請求項７】
前記複数の広告の総予定広告料金と、前記複数の広告の総表示頻度と、前記各広告の表示頻度と、に基づいて、前記各広告の実広告料金を算出する料金算出手段を備えることを特徴とする請求項５または６に記載の広告管理装置。
【請求項８】
複数の広告の中から選ばれた広告群の表示スケジュールにしたがって前記広告群を表示するプッシュ型表示処理と閲覧者から指定されると当該指定された広告に切り替え表示するプル型表示処理とをコンピュータに実行させる広告表示プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールにしたがって前記プッシュ型表示処理により前記広告表示候補を表示画面に表示する表示制御手段、
として機能させることを特徴とする広告表示プログラム。
【請求項９】
複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理をコンピュータに実行させる広告管理プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールを前記広告表示装置に送信する送信手段、
として機能させることを特徴とする広告管理プログラム。
【請求項１０】
コンピュータが、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示方法であって、
前記コンピュータが、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールにしたがって前記プッシュ型表示処理により前記広告表示候補を表示画面に表示する表示工程と、
を実行することを特徴とする広告表示方法。
【請求項１１】
コンピュータが、複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理を実行する広告管理方法であって、
前記コンピュータが、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールを前記広告表示装置に送信する送信工程と、
を実行することを特徴とする広告管理方法。
【手続補正２】
【補正対象書類名】明細書
【補正対象項目名】全文
【補正方法】変更
【補正の内容】
【発明の詳細な説明】
【技術分野】
【０００１】
本発明は、複数の広告の中から選ばれた広告群の表示スケジュールにしたがって広告群を表示するプッシュ型表示処理と閲覧者から指定されると当該指定された広告に切り替え表示するプル型表示処理とを実行する広告提供システム、広告表示装置、広告管理装置、広告表示プログラム、広告管理プログラム、広告表示方法、および広告管理方法に関するものである。
【背景技術】
【０００２】
従来から、広告には、プッシュ型広告とプル型広告とがある。プッシュ型広告とは、広告の提供者（広告主）が閲覧者に提供する広告であり、例としてテレビのＣＭが挙げられる。一方、プル型広告とは、広告の閲覧者が広告の提供者に要求することにより閲覧する広告であり、たとえば、ＷｅｂサイトのＵＲＬを指定することにより閲覧可能なＷｅｂページ情報が挙げられる。
【０００３】
このプッシュ型広告とプル型広告とは別々のメディアに独立しており、プッシュ型広告とプル型広告との連携は広告代理店の運用によって行われてきた。たとえば、サーチエンジン連動広告では、テレビのＣＭによりプッシュ型広告を流して、詳細はＷｅｂサイトにアップロードするという手法をとっている。
【０００４】
また、プッシュ型広告からプル型広告への連携は、プッシュ型広告に添付されているリンク情報を広告の閲覧者側で記録しておくことにより実現されるにすぎなかった（たとえば、下記特許文献１、２を参照。）。
【０００５】
そこで、複数の広告の中から選ばれた広告群の表示スケジュールにしたがって広告群を表示するプッシュ型表示処理と閲覧者から指定されると当該指定された広告に切り替え表示するプル型表示処理とを実行する広告表示装置が開示されている（たとえば、下記非特許文献１を参照。）。この広告表示装置は、駅、空港、ショッピングセンターなどの公共性の高い場所に設置され、近隣の店舗情報や空港内の案内を画面上に表示するようになっている。
【先行技術文献】
【特許文献】
【０００６】
【特許文献１】特開２００１−７６００７号公報
【特許文献２】特開２００４−１８６７９１号公報
【非特許文献】
【０００７】
【非特許文献１】富士通ジャーナル  ２００６年４月号  Ｎｅｗテクノロジー（１）、［online］、［平成１９年５月８日検索］、インターネット＜ＵＲＬ：http://jp.fujitsu.com/about/journal/289/newtechnology/＞
【発明の概要】
【発明が解決しようとする課題】
【０００８】
しかしながら、上述した従来技術では、プッシュ型表示処理からプル型表示処理への切り替え操作は閲覧者がおこなわなければならないが、閲覧者によっては操作の仕方がわからない場合や操作方法を忘れている場合がある。
【０００９】
また、プッシュ型表示処理では、距離が離れている閲覧者にも見えるように必然的に文字や画像が大きいレイアウトになるが、閲覧者が接近すると却って見づらくなる。したがって、接近した閲覧者によるプル型表示処理への切り替え操作は必須となる。このように、プル型表示処理への切り替え操作は閲覧者がおこなわなければならないため、閲覧者が興味を示した広告の詳細情報を引き出すのに時間や手間がかかるという問題があった。
【００１０】
また、閲覧者が興味を示した広告以外の他の広告を閲覧したり、操作が煩わしいために途中で操作をやめたりしてしまうことにより、折角の宣伝の機会を逸失してしまうという問題があった。また、無駄な操作により閲覧者が広告表示装置の手前にいると、プッシュ型広告が表示されず、多くの閲覧者に対する宣伝の機会を逸してしまうという問題があった。
【００１１】
また、プル型表示処理では閲覧者から指定されないと表示されないため、プッシュ型表示処理のみに頼ってしまうと、表示頻度が低下してしまう。したがって、広告料金に見合った宣伝効果がないと広告主にとってはメリットがないため、広告効果が薄いと判断した広告主からの広告提供が減少することになり、収益性の面で問題があった。また、広告料金に見合った宣伝効果がなされているか否かの判断が難しいため、宣伝効果の信頼性についても問題があった。
【００１２】
本発明は、上記に鑑みてなされたものであって、閲覧者の利便性および広告主からの信頼性の向上を図ることにより、バランスのとれた宣伝をおこなうことができる広告提供システム、広告表示装置、広告管理装置、広告表示プログラム、広告管理プログラム、広告表示方法、および広告管理方法を提供することを目的とする。
【課題を解決するための手段】
【００１３】
上述した課題を解決し、目的を達成するために、この発明にかかる広告提供システムは、複数の広告の中から選ばれた広告群の表示スケジュールにしたがって前記広告群を表示するプッシュ型表示処理と、閲覧者から指定されると当該指定された広告に切り替え表示するプル型表示処理とを実行する広告表示装置と、当該広告表示装置と交信可能に接続され前記広告表示装置を管理する広告管理装置とを備える広告提供システムにおいて、前記広告管理装置は、前記プル型表示処理による前記各広告の表示頻度に基づいて前記複数の広告の中から選ばれた広告群を、広告表示候補として抽出する抽出手段と、前記抽出手段によって前記広告表示候補として抽出された広告群の表示スケジュールを作成する作成手段と、を備え、前記広告表示装置は、表示画面を有する表示手段と、前記表示画面を制御して、前記作成手段によって作成された表示スケジュールにしたがって前記プッシュ型表示処理により前記広告表示候補を表示する表示制御手段と、を備えることを特徴とする。
【００１４】
この発明によれば、プル型表示処理による表示頻度が低い広告に関するプッシュ型表示処理による表示頻度が高くなるような表示スケジュールの作成と配信をおこなうことができる。
【００１５】
また、この発明にかかる広告表示装置、広告表示方法および広告表示プログラムは、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置、広告表示方法および広告表示プログラムであって、前記プル型表示処理による前記各広告の表示頻度の低さに基づいて前記複数の広告の中から選ばれた広告群を、広告表示候補として抽出し、前記広告表示候補として抽出された広告群の表示スケジュールを作成し、前記表示画面を制御して、作成された表示スケジュールにしたがって前記プッシュ型表示処理により前記広告表示候補を表示することを特徴とする。
【００１６】
この発明によれば、プル型表示処理による表示頻度が低い広告に関するプッシュ型表示処理による表示頻度を高くすることができる。
【００１７】
また、上記発明において、前記閲覧者を検知し、前記閲覧者が検知された場合、前記表示画面の表示内容を、前記プッシュ型表示処理によるレイアウトから、前記プル型表示処理により前記閲覧者から前記広告表示候補の指定を待ち受けるレイアウトに切り替え表示することとしてもよい。
【００１８】
この発明によれば、閲覧者の検知により、表示画面のレイアウトをプッシュ型からプル型に自動切替することができる。
【００１９】
また、上記発明において、前記広告表示候補の指定を待ち受けるレイアウトは、前記広告群のうち、前記閲覧者が検知されたときに前記表示画面に前記プッシュ型表示処理により表示されていた広告が、当該広告以外の他の広告よりも特徴的な位置に、または、前記他の広告よりも強調して表示するレイアウトであることとしてもよい。
【００２０】
この発明によれば、閲覧者が見たい、知りたい広告の指定を促すことができる。
【００２１】
また、この発明にかかる広告管理装置、広告管理方法および広告管理プログラムは、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置に対して交信可能な広告管理装置、広告管理方法および広告管理プログラムであって、前記プル型表示処理による前記各広告の表示頻度の低さに基づいて前記複数の広告の中から選ばれた広告群を、広告表示候補として抽出し、前記広告表示候補として抽出された広告群の表示スケジュールを作成し、作成された表示スケジュールを前記広告表示装置に送信することを特徴とする。
【００２２】
この発明によれば、プル型表示処理による表示頻度が低い広告に関するプッシュ型表示処理による表示頻度が高くなるように、表示スケジュールを作成して、広告表示装置に配信することができる。
【００２３】
また、上記発明において、さらに、前記複数の広告の最低保証表示頻度に基づいて前記複数の広告の中から選ばれた広告群を、前記広告表示候補として抽出することとしてもよい。具体的には、前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することとしてもよい。
【００２４】
この発明によれば、最低保証表示頻度も満足するように表示スケジュールを作成することができる。
【００２５】
また、上記発明において、前記広告表示候補の表示頻度に基づいて表示順や表示時間を設定することにより、前記スケジュールを作成することとしてもよい。
【００２６】
この発明によれば、表示スケジュールを自動的に編集することができる。
【００２７】
また、上記発明において、前記プル型表示処理に関する重み値を前記プル型表示処理による表示頻度に重み付けしたポイントと、前記重み値よりも軽い前記プッシュ型表示処理に関する重み値を前記プッシュ型表示処理による表示頻度に重み付けしたポイントとに基づいて、広告効果に関するポイントを前記広告ごとに算出し、前記ポイント算出手段によって算出された広告効果に関するポイントの低さに基づいて前記複数の広告の中から選ばれた広告群を、前記広告表示候補として抽出することとしてもよい。
【００２８】
この発明によれば、広告効果に関するポイントが低い広告に関するプッシュ型表示処理による表示頻度が高くなるように、表示スケジュールを作成して、広告表示装置に配信することができる。
【００２９】
また、上記発明において、前記プッシュ型表示処理に関する重み値は、前記表示画面における表示面積の大きさや前記表示画面上の特定位置からの距離に応じて複数種類設定されていることとしてもよい。
【００３０】
この発明によれば、プッシュ型のレイアウトに応じて広告効果に関するポイントを調整することができる。
【００３１】
また、上記発明において、さらに、前記複数の広告の最低保証表示頻度に基づいて前記複数の広告の中から選ばれた広告群を、前記広告表示候補として抽出することとしてもよい。具体的には、前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することとしてもよい。
【００３２】
この発明によれば、最低保証表示頻度も満足するように表示スケジュールを作成することができる。
【００３３】
また、上記発明において、前記作成手段は、前記広告表示候補の前記広告効果に関するポイントに基づいて表示順や表示時間を設定することにより、前記スケジュールを作成することとしてもよい。
【００３４】
この発明によれば、表示スケジュールを自動的に編集することができる。
【００３５】
また、上記発明において、前記複数の広告の総予定広告料金と、前記複数の広告の総表示頻度と、前記各広告の表示頻度と、に基づいて、前記各広告の実広告料金を算出する料金算出手段を備えることとしてもよい。
【００３６】
この発明によれば、広告の宣伝効果に見合った料金を算出することができる。
【発明の効果】
【００３７】
本発明にかかる広告提供システム、広告表示装置、広告管理装置、広告表示プログラム、広告管理プログラム、広告表示方法、および広告管理方法は、閲覧者の利便性および広告主からの信頼性の向上を図ることにより、バランスのとれた宣伝をおこなうことができるという効果を奏する。
【図面の簡単な説明】
【００３８】
【図１】この発明の実施の形態にかかる広告提供システムの概要を示す説明図である。
【図２】広告表示装置を示す正面図である。
【図３】広告表示装置のディスプレイの画面遷移を示す説明図である。
【図４】ＤＢの記憶内容を示す説明図である。
【図５】重みテーブルを示す説明図である。
【図６】この発明の実施の形態にかかる広告提供システムの機能的構成を示すブロック図である。
【図７】表示スケジュールの作成例を示す説明図である。
【図８】この発明の実施の形態にかかる広告管理装置による広告管理処理手順を示すフローチャートである。
【図９】図８に示した料金算出処理の詳細な処理手順を示すフローチャートである。
【図１０】広告表示装置による広告表示処理手順を示すフローチャートである。
【発明を実施するための形態】
【００３９】
（広告提供システムの概要）
まず、この発明の実施の形態にかかる広告提供システムの概要について説明する。図１は、この発明の実施の形態にかかる広告提供システム１００の概要を示す説明図である。図１において、広告提供システム１００は、広告管理装置１０１と広告表示装置１０２とがＬＡＮ，ＷＡＮ，インターネットなどのネットワーク１０３を介して交信可能に接続されて構成されている。
【００４０】
広告管理装置１０１は、広告表示装置１０２を管理するサーバとして機能し、広告表示装置１０２に対して表示スケジュールを配信するとともに、その管理に必要なデータをＤＢ（データベース）１１０に格納している。広告表示装置１０２は、空港、駅、店舗、街頭などの消費者に密着した現場に設置されている。広告表示装置１０２は、広告管理装置１０１から表示スケジュールを受信することにより、表示スケジュールにしたがって広告を表示する。
【００４１】
なお、この広告提供システム１００では、ＤＢ１１０に格納されている広告データのうち表示スケジュール中の広告群の広告データを、表示スケジュールとともに広告管理装置１０１から配信することにより、広告表示装置１０２において表示スケジュールにしたがって表示する。
【００４２】
また、各広告表示装置１０２にあらかじめすべての広告データを内部の記憶領域（メモリまたはＨＤ）に格納しておき、広告管理装置１０１から表示スケジュールが配信されると、その表示スケジュール中の広告群の広告データを表示スケジュールにしたがって記憶領域から呼び出して表示することとしてもよい。
【００４３】
さらに、広告データを更新する都度、広告管理装置１０１から全広告表示装置１０２に配信する構成としてもよい。いずれにしても、広告データは、広告表示装置１０２において表示される直前までに広告表示装置１０２に格納されていればよい。
【００４４】
（広告表示装置１０２の概要）
図２は、広告表示装置１０２を示す正面図である。広告表示装置１０２は、大画面のディスプレイ２０１と人体検知センサ２０２とスピーカ２０３を備えている。ディスプレイ２０１には、広告の画像データまたは動画像データ（以下、「広告データ」という）が表示される。広告表示装置１０２は、複数の広告の中から選ばれた広告群の表示スケジュールにしたがって広告群を表示するプッシュ型表示処理を実行することにより、ディスプレイ２０１のほぼ全域を使用して広告が表示される。
【００４５】
また、人体検知センサ２０２は、たとえば、赤外線センサにより構成されており、人体を検知すると、閲覧者に指定させるための縮小広告画像一覧を表示する。そして、縮小広告一覧の中から任意の縮小広告が指定されると当該指定された広告に切り替え表示するプル型表示処理とを実行する。また、スピーカ２０３は、広告の内容や広告表示装置の使用方法を音声出力する。なお、広告表示装置１０２をスタンドアロン型にする場合、広告管理装置１０１のすべての機能を広告表示装置１０２に搭載することとなる。
【００４６】
（ディスプレイ２０１の画面遷移）
図３は、広告表示装置１０２のディスプレイ２０１の画面遷移を示す説明図である。ここでは、全広告をＡ〜Ｉとし、広告表示候補となった広告をＡ〜Ｅとし、その表示スケジュールを「Ａ⇒Ｂ⇒Ｃ⇒Ｄ⇒Ｅ」とする。広告表示装置１０２では、この表示スケジュールにしたがって広告Ａ〜Ｅが周期的に順次表示される。
【００４７】
まず、（ａ）は、プッシュ型表示処理を示している。プッシュ型表示処理による表示状態を、「広告表示モード」と呼ぶ。広告表示モードのレイアウトにおいて、符号３０１はプッシュ型全面表示領域である。プッシュ型全面表示領域３０１では、離れた閲覧者から広告が見やすいように、ディスプレイ２０１のほぼ全域が使用され、表示スケジュールにしたがったプッシュ型表示処理が実行される。すなわち、プッシュ型表示領域に広告Ａ〜Ｅが順次表示されることとなる。（ａ）では、丁度広告Ｃがプッシュ型表示されている状態を示している。
【００４８】
また、符号３０２の点線は、タッチパネル式の操作領域であり、手前まで移動してきた閲覧者が接触することで所定の操作をすることができる。プッシュ型表示処理中は、操作領域３０２には、「画面にタッチ」といった閲覧者の操作を促す文字列が表示される。（ａ）のプッシュ型表示処理中、図２に示した人体検知センサ２０２により人体を検知すると、（ｂ）の状態に遷移する。
【００４９】
（ｂ）は、案内板モードにおける未操作状態のレイアウトを示している。符号３０３は、プル型表示領域であり、閲覧者から指定された広告の広告データが表示されることとなる。また、操作領域３０２には、表示スケジュールの広告Ａ〜Ｅのサムネイル画像が表示スケジュール順に表示され、閲覧者からの指定を待ち受けている。
【００５０】
この一連のサムネイル画像の中央には、人体検知センサ２０２による検知時にプッシュ型全面表示領域３０１に表示されていた広告のサムネイル画像が配置される。ここでは、広告Ｃのサムネイル画像が中央に配置されている。
【００５１】
このように、閲覧者が検知されたときにディスプレイ２０１にプッシュ型表示処理により表示されていた広告Ｃが、広告Ｃ以外の他の広告Ａ，Ｂ，Ｄ，Ｅよりも特徴的な位置に表示されている。また、特徴的な位置に限らず、閲覧者が検知されたときにディスプレイ２０１にプッシュ型表示処理により表示されていた広告Ｃが、他の広告Ａ，Ｂ，Ｄ，Ｅよりも強調表示されていてもよい。
【００５２】
これにより、広告表示装置１０２から離れた位置にいる閲覧者がプッシュ型全面表示領域３０１の広告Ｃに引き寄せられて広告表示装置１０２に近づくと人体検知センサ２０２により検知される。そして、広告表示装置１０２の前にたつと、閲覧者が見たい、知りたいと思った広告Ｃのサムネイル画像が操作領域３０２中、指定しやすい中央の位置に配置される。したがって、使用頻度の低い不慣れな閲覧者にとっても使い勝手がよく、見たい、知りたい情報を即座に取り出す（プッシュ）することができる。
【００５３】
なお、人体検知センサ２０２により検知されたときの広告Ｃのサムネイル画像を中心にして、左側には検知前に表示された広告のサムネイル画像Ａ，Ｂが逆順で表示され、右側には後続の広告のサムネイル画像Ｄ，Ｅが表示される。
【００５４】
また、符号３０４は、プッシュ型縮小表示領域である。プッシュ型縮小表示領域３０４には、表示スケジュールから外れた広告Ｆ〜Ｉのサムネイル画像が表示される。また、（ｂ）の状態においては、プル型表示領域３０３は操作領域３０２から指定されるまで非表示としてもよく、操作領域３０２への操作を促す案内を表示することとしてもよい。
【００５５】
通常、閲覧者が広告表示装置１０２の前に位置していると、閲覧者の体がプル型表示領域３０３と重なっているため、広告表示装置１０２から離れている閲覧者には広告がよく見えないこととなる。そのため、プッシュ型縮小表示領域３０４を、プル型表示領域３０３の上半部より上にレイアウトすることにより、プル型表示とプッシュ型表示とを同時に実現することができる。
【００５６】
（ｃ）は、案内板モードにおける操作状態のレイアウトを示している。ここでは、広告Ｃのサムネイル画像が指定されたことを反転表示により示している。操作領域３０２のサムネイル画像が指定されると、その指定された広告の詳細な広告データがプル型表示領域３０３に表示される。
【００５７】
なお、プル型表示領域３０３の下端縁領域は、操作領域３０２とオーバーラップしているため、この下端縁領域に広告の詳細情報の切替操作画像を表示しておくことで、閲覧者の操作により、詳細情報を切り替えることができる。（ｃ）では詳細情報として、インフォメーション（図中、「Ｉｎｆｏ」）、お勧め情報（図中、「イチオシ」）、地図情報（図中、「Ｍａｐ」）を指定することができる。
【００５８】
（ＤＢ１１０の記憶内容）
図４は、ＤＢ１１０の記憶内容を示す説明図である。図４において、ＤＢ１１０には、広告ごとに、表示頻度、広告効果ポイント、契約内容、分担率、実広告料金、契約達成率、ペナルティ料金が記憶されている。これらの情報は必要に応じて随時更新される。
【００５９】
まず、表示頻度とは、広告（広告データ）の出現度合いを示す情報であり、表示回数や表示時間によりあらわすことができる。ここでは、表示回数として説明する。表示頻度は、プッシュ型全面表示領域３０１、プッシュ型縮小表示領域３０４、プル型表示領域３０３に分けて計数される。広告効果ポイントとは、広告の宣伝効果を数値化した情報であり、表示頻度に基づいて算出される。表示頻度そのものであってもよい。
【００６０】
また、契約内容とは、広告表示に関する契約に基づいて設定された数値情報であり、ここでは、予定広告料金と最低保証表示頻度が設定されている。予定広告料金とは、ある期間内の広告料金の見積もりである。また、最低保証表示頻度とは、広告主が予定広告料金を支払う場合に最低限保証される表示頻度であり、ここでは例としてプッシュ型全面表示領域３０１の表示頻度で保証している。
【００６１】
また、分担率とは、実広告料金を算出するための比率であり、下記式（１）により広告ごとに算出される。
【００６２】
分担率＝広告効果ポイント／全広告の広告効果ポイントの合計値・・・（１）
【００６３】
実広告料金とは、実際に広告主が支払う広告料金であり、下記式（２）により広告ごとに算出される。
【００６４】
実広告料金＝（予定広告料金／全広告の予定広告料金の合計値）×分担率・・・（２）
【００６５】
契約達成率とは、契約内容が達成されたか否かを示す比率であり、１００％以上で契約内容が達成されたことをあらわす。契約達成率は、下記式（３）により広告ごとに算出される。
【００６６】
契約達成率＝プッシュ型全面表示領域の表示頻度／最低保証表示頻度・・・（３）
【００６７】
なお、分母の最低保証表示頻度はプッシュ型全面表示領域３０１の表示頻度を保証する表示頻度であるため、分子はプッシュ型全面表示領域３０１の表示頻度となる。したがって、分母の最低保証表示頻度がプル型表示領域３０３の表示頻度を保証する表示頻度となれば、分子もプル型表示領域３０３の表示頻度となる。
【００６８】
また、ペナルティ料金は、契約達成率が１００％未満の場合に広告主に対して還元される料金であり、下記式（４）により広告ごとに算出される。なお、契約達成率が１００％以上の広告については算出されない。
【００６９】
ペナルティ料金＝実広告料金×（１−契約達成率）・・・（４）
【００７０】
図５は、重みテーブルを示す説明図である。重みテーブル５００はＤＢ１１０に格納されている。重みテーブル５００の重み値は、広告表示のレイアウト（表示面積の大きさやディスプレイ２０１上の特定位置からの距離）ごとに設定されており、広告効果ポイントの算出に用いられる。プッシュ型表示処理に関する重み値は、レイアウトに応じて複数種類設定される。
【００７１】
図５では、プッシュ型全面表示領域３０１の表示頻度については重み値ｗ１＝２、プッシュ型縮小表示領域３０４の表示頻度については重み値ｗ２＝１、プル型表示領域３０３の表示頻度については重み値ｗ３＝１０が設定されている。各重み値ｗ１〜ｗ３は対応する表示頻度に重み付け（乗算）される。たとえば、広告Ａについては、下記式により広告効果ポイントが算出される。
【００７２】
広告Ａの広告効果ポイント＝２５×ｗ１＋２０×ｗ２＋４０×ｗ３
＝２５×２＋２０×１＋４０×１０
＝４７０
【００７３】
なお、各表示頻度のうち広告効果ポイントの算出元から除外したい表示頻度がある場合、その表示頻度の重み値を「０」に設定しておけばよい。たとえば、プル型表示領域３０３の表示頻度のみとしたい場合には、他の表示頻度の重み値ｗ１，ｗ２をｗ１＝０、ｗ２＝０としておくことにより、算出される広告効果ポイントは実質的にプル型表示領域３０３の表示頻度のみとなる。
【００７４】
（広告提供システム１００の機能的構成）
つぎに、この発明の実施の形態にかかる広告提供システム１００の機能的構成について説明する。図６は、この発明の実施の形態にかかる広告提供システム１００の機能的構成を示すブロック図である。
【００７５】
図６において、広告提供システム１００のうち、まず、広告管理装置１０１の機能的構成について説明する。広告管理装置１０１は、抽出部６０１と作成部６０２と送信部６０３と算出部６０４と受信部６０５と更新部６０６とを備えている。なお、各機能６０１〜６０６は、メモリまたはＨＤなどの記憶領域に記憶されているプログラムを、ＣＰＵに実行させることによって、またはＩ／Ｆによって、その機能を実現する。
【００７６】
抽出部６０１は、プル型表示処理による各広告の表示頻度に基づいて複数の広告の中から選ばれた広告群を、広告表示候補として抽出する機能を有する。具体的には、複数の広告の中から表示頻度が所定頻度以下の広告群を広告表示候補として抽出する。
【００７７】
ここで、基準となる表示頻度は、プッシュ型全面表示領域３０１の表示頻度、プッシュ型縮小表示領域３０４の表示頻度、プル型表示領域３０３の表示頻度のいずれの表示頻度であってもよい。特に、プル型表示領域３０３の表示頻度を採用し、所定頻度以下の広告群を広告表示候補として抽出すると、閲覧者から積極的に呼び出されていない広告を、広告表示候補として抽出することになる。
【００７８】
このように、プル型表示領域３０３の表示頻度が少ない広告を優先的に広告表示候補に含めることにより、プッシュ型広告表示される機会が増加するため、全体として広告表示頻度が平準化することとなる。また、複数の広告を表示頻度の昇順に並べた場合、所定の順位までの広告群を広告表示候補として抽出することとしてもよい。このように、所定頻度を基準とした絶対的な評価だけでなく、表示頻度の昇順という相対的な評価を基準とすることもできる。
【００７９】
また、表示頻度ではなく、上述した広告効果ポイントに基づいて複数の広告の中から選ばれた広告群を、広告表示候補として抽出したり、複数の広告を広告効果ポイントの昇順に並べた場合、所定の順位までの広告群を広告表示候補として抽出することとしてもよい。
【００８０】
さらに、複数の広告の最低保証表示頻度に基づいて複数の広告の中から選ばれた広告群を、広告表示候補として抽出することとしてもよい。具体的には、複数の広告のうち広告表示候補として抽出された広告群から外れた広告の中に、最低保証表示頻度未満の広告が存在する場合、広告群の中から選ばれた広告と最低保証表示頻度未満の広告とを入れ替えることにより、入れ替え後の広告群を広告表示候補として再抽出する。
【００８１】
たとえば、基準となる所定頻度を「２０」とした場合（昇順の上位６位の場合も同様）、図４を参照すると、広告Ｂ〜Ｆ，Ｈが広告表示候補として抽出される。ここで、広告Ａのプッシュ型全面表示領域３０１の表示頻度は「２５」であり、最低保証表示頻度「３０」を満たしていないため、最低保証表示頻度を満たしている広告Ｄ〜Ｆ，Ｈの中から選ばれた広告と広告Ａとを入れ替える。これにより、全体として最低保証表示頻度以上となるように調整することができる。
【００８２】
なお、この場合、広告Ａとの入れ替え対象となる広告は、広告Ｄ，Ｅ，Ｈの中からランダムに決めてもよい。プル型表示領域３０３の表示頻度が高い広告を優先的に入れ替え対象としてもよい。好ましくは、広告Ｄ，Ｅ，Ｈ中、プル型表示領域３０３の表示頻度が高い広告Ｄ，Ｅや、最低保証表示頻度「３０」を満たしている広告Ｄ，Ｅ，Ｈが入れ替え対象としてふさわしい。
【００８３】
また、作成部６０２は、抽出部６０１によって広告表示候補として抽出された広告群の表示スケジュールを作成する機能を有する。広告表示装置１０２が複数ある場合、すべての広告表示装置１０２に対し同一の表示スケジュールを作成してもよく、広告表示装置１０２ごとに異なる表示スケジュールを作成することとしてもよい。
【００８４】
図７は、表示スケジュールの作成例を示す説明図である。図７において、広告表示候補として選ばれた広告群Ａ〜Ｅをランダムに並べ替えることにより、広告スケジュール７００を作成する。
【００８５】
また、各広告に確率分布を割り振るとともに乱数を順次生成し、出現した乱数に対応する広告を選択して、選択順に並べることとしてもよい。たとえば、広告Ａ〜Ｃ，Ｅには確率分布０．１が割り振られ、広告Ｄには確率分布０．６が割り振られているため、乱数が０．０≦ｒ≦１．０の場合には広告Ａが選ばれ、乱数が０．１＜ｒ≦０．２の場合には広告Ｂが選ばれ、乱数が０．２＜ｒ≦０．３の場合には広告Ｃが選ばれ、乱数が０．３＜ｒ≦０．９の場合には広告Ｄが選ばれ、乱数が０．９＜ｒ≦１．０の場合には広告Ｅが選ばれることとなる。
【００８６】
また、各広告の確率分布に重み付けをして乱数を順次生成し、出現した乱数に対応する広告を選択して、選択順に並べることとしてもよい。たとえば、広告Ａ，Ｃ，Ｅには０．１の重み、広告Ｂ，Ｄには０．３の重みが与えられているため、乱数が０．０≦ｒ≦１．０の場合には広告Ａが選ばれ、乱数が０．１＜ｒ≦０．４の場合には広告Ｂが選ばれ、乱数が０．４＜ｒ≦０．５の場合には広告Ｃが選ばれ、乱数が０．５＜ｒ≦２．３の場合には広告Ｄが選ばれ、乱数が２．３＜ｒ≦２．４の場合には広告Ｅが選ばれることとなる。
【００８７】
また、作成部６０２は、広告表示候補の表示頻度に基づいて表示順を設定することにより、表示スケジュールを作成することとしてもよい。具体的には、プル型表示領域３０３の表示頻度を昇順にソートすることにより、表示スケジュールを作成することとしてもよい。
【００８８】
また、図７に示した例では、広告ごとの表示時間があらかじめ設定されているが、その表示時間を広告表示候補の表示頻度に基づいて表示時間を設定することとしてもよい。具体的には、プル型表示領域３０３の表示頻度を昇順にソートした場合、より上位の広告の表示時間が長くなるように設定する。たとえば、図７に示した広告表示候補Ａ〜Ｅをプル型表示領域３０３の表示頻度を昇順にソートすると、「Ｃ⇒Ｂ⇒Ｅ⇒Ｄ⇒Ａ」となるため、広告Ｃの表示時間が最も長く、広告Ａの表示時間が最も短くなるように設定することができる。
【００８９】
また、算出部６０４は、各種演算処理を実行する機能を有する。具体的には、上記式（１）〜（４）の計算処理をおこなう。これにより、図４に示した分担率、実広告料金、契約達成率、ペナルティ料金を広告ごとに算出することができる。
【００９０】
また、図６において、送信部６０３は、作成部６０２によって作成された表示スケジュールを広告表示装置１０２に送信する機能を有する。なお、広告データは、表示スケジュールとともに配信してもよく、また、あらかじめ広告表示装置１０２に配信しておくこととしてもよい。
【００９１】
また、受信部６０５は、広告表示装置１０２から送信されてくる計数結果を受信する機能を有する。計数結果とは、広告表示装置１０２において表示された広告の表示頻度である。また、更新部６０６は、受信された計数結果を用いてＤＢ１１０の表示頻度を更新する。この表示頻度の更新により、算出部６０４は、図４に示した分担率、実広告料金、契約達成率、ペナルティ料金を広告ごとに再計算して、ＤＢ１１０に上書きする。
【００９２】
つぎに、広告表示装置１０２の機能的構成について説明する。広告表示装置１０２は、受信部６１１と検知部６１３と表示制御部６１２と計数部６１４と送信部６１５とを備えている。なお、各機能は、メモリまたはＨＤなどの記憶領域に記憶されているプログラムを、ＣＰＵに実行させることによって、またはＩ／Ｆによって、その機能を実現する。
【００９３】
受信部６１１は、広告管理装置１０１から送信されてくる表示スケジュールを受信する機能を有する。なお、広告データも送信されてきた場合は広告データも受信する。検知部６１３は、外部からの入力を検知する。具体的には、人体検知センサ２０２からの検知信号を受け付けることにより、閲覧者の接近、近接配置を検知する。同様に、操作領域３０２への接触の検知信号を受け付けることにより、閲覧者が広告のサムネイル画像を指定したことを検知する。
【００９４】
また、表示制御部６１２は、ディスプレイ２０１を制御して、広告を表示する機能を有する。具体的には、受信された表示スケジュールにしたがってプッシュ型表示処理により広告を表示する。また、プッシュ型表示処理中に検知部６１３により人体が検知されると、図３の（ｂ）に示したような案内板モードに切り替え表示する。さらに、検知部６１３によりサムネイル画像の指定が検知されると、図３の（ｃ）に示したように、指定されたサムネイル画像の広告の広告データを、プル型表示領域３０３に表示する。
【００９５】
また、計数部６１４は、表示制御部６１２により表示された広告の表示頻度を計数する機能を有する。具体的には、プッシュ型全面表示領域３０１の表示頻度、プッシュ型縮小表示領域３０４の表示頻度、プル型表示領域３０３の表示頻度に分けて計数する。計数結果は所定のタイミングで送信部６１５に送られ、リセットされる。
【００９６】
また、送信部６１５は、計数部６１４によって計数された計数結果を広告管理装置１０１に送信する機能を有する。これにより、広告管理装置１０１のＤＢ１１０の表示頻度が最新の状態に更新される。
【００９７】
なお、上述した広告管理装置１０１の各機能６０１〜６０６の一部およびＤＢ１１０を広告表示装置１０２が備えることとしてもよい。特に、広告表示装置１０２をスタンドアロン型として機能させる場合は、広告管理装置１０１の各機能６０１〜６０６およびＤＢ１１０を広告表示装置１０２が備えることとなる。
【００９８】
（広告管理装置１０１による広告管理処理手順）
つぎに、この発明の実施の形態にかかる広告管理装置１０１による広告管理処理手順について説明する。図８は、この発明の実施の形態にかかる広告管理装置１０１による広告管理処理手順を示すフローチャートである。図８において、まず、期末か否かを判断する（ステップＳ８０１）。期末とは、ある期間の末日である。期末である場合（ステップＳ８０１：Ｙｅｓ）、算出部６０４により料金算出処理を実行して（ステップＳ８０２）、ステップＳ８０１に戻る。
【００９９】
一方、期末でない場合（ステップＳ８０１：Ｎｏ）、ＤＢ１１０から各広告の表示頻度を読み出す（ステップＳ８０３）。そして、広告効果ポイントを算出する（ステップＳ８０４）。算出された広告効果ポイントはＤＢ１１０に上書きされる。つぎに、抽出部６０１により広告表示候補を抽出する（ステップＳ８０５）。そして、作成部６０２により表示スケジュールを作成して（ステップＳ８０６）、送信部６０３により広告表示装置１０２に送信する（ステップＳ８０７）。
【０１００】
このあと、表示頻度（広告表示装置１０２の計数部６１４による計数結果）が受信されたか否かを判断し（ステップＳ８０８）、受信されていない場合には（ステップＳ８０８：Ｎｏ）、ステップＳ８０１に戻る。一方、受信された場合（ステップＳ８０８：Ｙｅｓ）、ＤＢ１１０の表示頻度を更新して（ステップＳ８０９）。ステップＳ８０１に戻る。
【０１０１】
図９は、図８に示した料金算出処理の詳細な処理手順を示すフローチャートである。図９において、料金算出処理では、まず、未処理の広告について、表示頻度および予定広告料金をＤＢ１１０から読み出し（ステップＳ９０１）、広告効果ポイントを算出する（ステップＳ９０２）。つぎに、実広告料金を算出する（ステップＳ９０３）。
【０１０２】
そして、最低保証表示頻度を満たしているか否かを判断し（ステップＳ９０４）、満たしている場合には（ステップＳ９０４：Ｙｅｓ）、ステップＳ９０６に移行する。一方、満たしていない場合には（ステップＳ９０４：Ｎｏ）、ペナルティ料金を算出する（ステップＳ９０５）。ステップＳ９０６では、算出結果を保持（ＤＢ１１０への上書き）・出力する（ステップＳ９０６）。
【０１０３】
そして、未処理の広告があるか否かを判断し（ステップＳ９０７）、未処理の広告がある場合（ステップＳ９０７：Ｙｅｓ）、ステップＳ９０１に戻る。一方、未処理の広告がない場合（ステップＳ９０７：Ｎｏ）、ステップＳ８０１に移行する。
【０１０４】
（広告表示装置１０２による広告表示処理手順）
つぎに、広告表示装置１０２による広告表示処理手順について説明する。図１０は、広告表示装置１０２による広告表示処理手順を示すフローチャートである。図１０において、所定の送信時刻か否かを判断し（ステップＳ１００１）、送信時刻でない場合（ステップＳ１００１：Ｎｏ）、ステップＳ１００３に移行する。一方、送信時刻である場合（ステップＳ１００１：Ｙｅｓ）、表示頻度の計数値（計数結果）を広告管理装置１０１に送信する（ステップＳ１００２）。
【０１０５】
そして、ステップＳ１００３では、広告管理装置１０１から表示スケジュールが受信されたか否かを判断する（ステップＳ１００３）。受信された場合（ステップＳ１００３：Ｙｅｓ）、その表示スケジュールを設定して（ステップＳ１００４）、ステップＳ１００６に移行する。一方、受信されていない場合（ステップＳ１００３：Ｎｏ）、表示スケジュールが設定済みか否かを判断する（ステップＳ１００５）。
【０１０６】
設定済みでない場合（ステップＳ１００５：Ｎｏ）、ステップＳ１００１に戻る。一方、設定済みである場合（ステップＳ１００５：Ｙｅｓ）、表示制御部６１２により、設定された表示スケジュールにしたがってプッシュ型表示処理を実行する（ステップＳ１００６）。
【０１０７】
そして、計数部６１４により、プッシュ型表示処理による広告の表示頻度を計数する（ステップＳ１００７）。このあと、プッシュ型表示処理を開始してから所定時間Ｔ１が経過したか否かを判断する（ステップＳ１００８）。この所定時間Ｔ１は送信時刻および表示スケジュールの受信を確認するために設定された時間である。
【０１０８】
Ｔ１が経過した場合（ステップＳ１００８：Ｙｅｓ）、ステップＳ１００１に戻る。一方、Ｔ１が経過していない場合（ステップＳ１００８：Ｎｏ）、人体検知センサ２０２が人体を検知したか否かを判断する（ステップＳ１００９）。人体を検知していない場合（ステップＳ１００９：Ｎｏ）、ステップＳ１００６に戻る。一方、人体を検知した場合（ステップＳ１００９：Ｙｅｓ）、案内板モードに切り替える（ステップＳ１０１０）。
【０１０９】
そして、案内板モードへの切替開始から所定時間Ｔ２が経過したか否かを判断する（ステップＳ１０１１）。所定時間Ｔ２は、案内板モード（図３の（ｂ））から広告表示モード（図３の（ａ））に戻すための制限時間である。そして、Ｔ２が経過した場合（ステップＳ１０１１：Ｙｅｓ）、ステップＳ１００６に戻ることにより、広告表示モードに切り替えられ、プッシュ型表示処理を実行することとなる。
【０１１０】
一方、Ｔ２が経過していない場合（ステップＳ１０１１：Ｎｏ）、Ｔ２の経過前に操作領域３０２内の広告のサムネイル画像が閲覧者により指定されたか否かを判断する（ステップＳ１０１２）。指定されていない場合（ステップＳ１０１２：Ｎｏ）、ステップＳ１０１１に戻る。
【０１１１】
一方、いずれかの広告のサムネイル画像が指定された場合（ステップＳ１０１２：Ｙｅｓ）、指定された広告の広告データをプル型表示領域３０３に表示する（ステップＳ１０１３）。そして、プル型表示領域３０３への表示が開始されてから所定時間Ｔ３が経過したか否かを判断する（ステップＳ１０１４）。
【０１１２】
この所定時間Ｔ３は、数秒程度の時間である。Ｔ３が経過していない場合（ステップＳ１０１４：Ｎｏ）、ステップＳ１０１２に戻る。一方、Ｔ３が経過した場合（ステップＳ１０１４：Ｙｅｓ）、プル型表示処理による表示頻度として計数する（ステップＳ１０１５）。
【０１１３】
ステップＳ１０１５の計数に先立って、所定時間Ｔ３の経過を条件とすることにより、いたずらや早押しにより操作領域３０２への接触の繰り返しといった、広告効果のない表示頻度の計数を防止することができ、広告効果の信頼性の向上を図ることができる。
【０１１４】
このように、本実施の形態では、スライドショーのようなプッシュ型の広告と案内板のようなプル型の広告とを連携させて、広告主と広告管理者との契約内容に基づいて表示レイアウトと表示スケジュールを自動的に決定して表示することが可能となり、より高い広告効果を期待することができる。
【０１１５】
また、プッシュ型表示領域の表示頻度やレイアウト、および、プル型表示領域３０３の表示頻度から複合的に広告効果を測定し、その広告効果に基づいて複数の広告主の間での広告費用の負担割合を自動的に決定することができるので、実際の広告効果に近い実広告料金を算出することが可能となる。
【０１１６】
また、プッシュ型のレイアウトとプル型のレイアウトとを閲覧者の位置に応じて自動切り替えすることができ、閲覧者にとって利便性の高い広告表示をおこなうことができる。特に、閲覧者を検知したときの広告を縮小化し、プッシュ型の縮小表示一覧中、特徴的な位置に配置したり、強調表示することにより、接近してきた閲覧者に検知時の広告を直感的に指定しやすくすることができる。したがって、より利便性の高い広告表示をおこなうことができる。
【０１１７】
以上のことから、この発明の実施の形態によれば、閲覧者の利便性および広告主からの信頼性の向上を図ることにより、バランスのとれた宣伝をおこなうことができる。
【０１１８】
なお、本実施の形態のフローチャートで説明した方法（図８〜図１０）は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１１９】
また、本実施の形態で説明した広告管理装置１０１や広告表示装置１０２は、スタンダードセルやストラクチャードＡＳＩＣ(Ａｐｐｌｉｃａｔｉｏｎ  Ｓｐｅｃｉｆｉｃ  Ｉｎｔｅｇｒａｔｅｄ  Ｃｉｒｃｕｉｔ)などの特定用途向けＩＣ（以下、単に「ＡＳＩＣ」と称す。）やＦＰＧＡなどのＰＬＤ(Ｐｒｏｇｒａｍｍａｂｌｅ  Ｌｏｇｉｃ  Ｄｅｖｉｃｅ)によっても実現することができる。具体的には、たとえば、図６に示した広告管理装置１０１や広告表示装置１０２の機能的構成をＨＤＬ記述によって機能定義し、そのＨＤＬ記述を論理合成してＡＳＩＣやＰＬＤに与えることにより、広告管理装置１０１や広告表示装置１０２を製造することができる。
【０１２０】
上述した実施の形態に関し、さらに以下の付記を開示する。
【０１２１】
（付記１）複数の広告の中から選ばれた広告群の表示スケジュールにしたがって前記広告群を表示するプッシュ型表示処理と、閲覧者から指定されると当該指定された広告に切り替え表示するプル型表示処理とを実行する広告表示装置と、当該広告表示装置と交信可能に接続され前記広告表示装置を管理する広告管理装置とを備える広告提供システムであって、
前記広告管理装置は、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、を備え、
前記広告表示装置は、
表示画面を有する表示手段と、
前記表示画面を制御して、前記作成手段によって作成された表示スケジュールにしたがって前記プッシュ型表示処理により前記広告表示候補を表示する表示制御手段と、を備えることを特徴とする広告提供システム。
【０１２２】
（付記２）複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置であって、
前記プル型表示処理による前記各広告の表示頻度に基づいて前記複数の広告の中から選ばれた広告群を、広告表示候補として抽出する抽出手段と、
前記抽出手段によって前記広告表示候補として抽出された広告群の表示スケジュールを作成する作成手段と、
表示画面を有する表示手段と、
前記表示画面を制御して、前記作成手段によって作成された表示スケジュールにしたがって前記プッシュ型表示処理により前記広告表示候補を表示する表示制御手段と、
を備えることを特徴とする広告表示装置。
【０１２３】
（付記３）前記閲覧者を検知する検知手段を備え、
前記表示制御手段は、
前記検知手段によって前記閲覧者が検知された場合、前記表示画面の表示内容を、前記プッシュ型表示処理によるレイアウトから、前記プル型表示処理により前記閲覧者から前記広告表示候補の指定を待ち受けるレイアウトに切り替え表示することを特徴とする付記２に記載の広告表示装置。
【０１２４】
（付記４）前記広告表示候補の指定を待ち受けるレイアウトは、前記広告群のうち、前記閲覧者が検知されたときに前記表示画面に前記プッシュ型表示処理により表示されていた広告が、当該広告以外の他の広告よりも特徴的な位置に、または、前記他の広告よりも強調して表示するレイアウトであることを特徴とする付記２に記載の広告表示装置。
【０１２５】
（付記５）複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示装置に対して交信可能な広告管理装置であって、
前記プル型表示処理による前記各広告の表示頻度の低さに基づいて前記複数の広告の中から選ばれた広告群を、広告表示候補として抽出する抽出手段と、
前記抽出手段によって前記広告表示候補として抽出された広告群の表示スケジュールを作成する作成手段と、
前記作成手段によって作成された表示スケジュールを前記広告表示装置に送信する送信手段と、
を備えることを特徴とする広告管理装置。
【０１２６】
（付記６）前記抽出手段は、
さらに、前記複数の広告の最低保証表示頻度に基づいて前記複数の広告の中から選ばれた広告群を、前記広告表示候補として抽出することを特徴とする付記５に記載の広告管理装置。
【０１２７】
（付記７）前記抽出手段は、
前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として再抽出することを特徴とする付記６に記載の広告管理装置。
【０１２８】
（付記８）前記作成手段は、
前記広告表示候補の表示頻度に基づいて表示順を設定することにより、前記スケジュールを作成することを特徴とする付記５〜７のいずれか一つに記載の広告管理装置。
【０１２９】
（付記９）前記作成手段は、
前記広告表示候補の表示頻度に基づいて表示時間を設定することにより、前記スケジュールを作成することを特徴とする付記５〜７のいずれか一つに記載の広告管理装置。
【０１３０】
（付記１０）前記プル型表示処理に関する重み値を前記プル型表示処理による表示頻度に重み付けしたポイントと、前記重み値よりも軽い前記プッシュ型表示処理に関する重み値を前記プッシュ型表示処理による表示頻度に重み付けしたポイントとに基づいて、広告効果に関するポイントを前記広告ごとに算出するポイント算出手段を備え、
前記抽出手段は、
前記ポイント算出手段によって算出された広告効果に関するポイントに基づいて前記複数の広告の中から選ばれた広告群を、前記広告表示候補として抽出することを特徴とする付記５に記載の広告管理装置。
【０１３１】
（付記１１）前記プッシュ型表示処理に関する重み値は、前記表示画面における表示面積の大きさに応じて複数種類設定されていることを特徴とする付記１０に記載の広告管理装置。
【０１３２】
（付記１２）前記プッシュ型表示処理に関する重み値は、前記表示画面上の特定位置からの距離に応じて複数種類設定されていることを特徴とする付記１０に記載の広告管理装置。
【０１３３】
（付記１３）前記抽出手段は、
さらに、前記複数の広告の最低保証表示頻度に基づいて前記複数の広告の中から選ばれた広告群を、前記広告表示候補として抽出することを特徴とする付記１０〜１２のいずれか一つに記載の広告管理装置。
【０１３４】
（付記１４）前記抽出手段は、
前記複数の広告のうち前記広告表示候補として抽出された広告群から外れた広告の中に、前記最低保証表示頻度未満の広告が存在する場合、前記広告群の中から選ばれた広告と前記最低保証表示頻度未満の広告とを入れ替えることにより、入れ替え後の広告群を前記広告表示候補として抽出することを特徴とする付記１３に記載の広告管理装置。
【０１３５】
（付記１５）前記作成手段は、
前記広告表示候補の前記広告効果に関するポイントに基づいて表示順を設定することにより、前記スケジュールを作成することを特徴とする付記１０〜１２のいずれか一つに記載の広告管理装置。
【０１３６】
（付記１６）前記複数の広告の総予定広告料金と、前記複数の広告の総表示頻度と、前記各広告の表示頻度と、に基づいて、前記各広告の実広告料金を算出する料金算出手段を備えることを特徴とする付記５〜７、１０〜１２のいずれか一つに記載の広告管理装置。
【０１３７】
（付記１７）複数の広告の中から選ばれた広告群の表示スケジュールにしたがって前記広告群を表示するプッシュ型表示処理と閲覧者から指定されると当該指定された広告に切り替え表示するプル型表示処理とをコンピュータに実行させる広告表示プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールにしたがって前記プッシュ型表示処理により前記広告表示候補を表示画面に表示する表示制御手段、
として機能させることを特徴とする広告表示プログラム。
【０１３８】
（付記１８）複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理をコンピュータに実行させる広告管理プログラムであって、
前記コンピュータを、
前記プル型表示処理による前記各広告の表示頻度の低さに基づいて前記複数の広告の中から選ばれた広告群を、広告表示候補として抽出する抽出手段、
前記抽出手段によって前記広告表示候補として抽出された広告群の表示スケジュールを作成する作成手段、
前記作成手段によって作成された表示スケジュールを前記広告表示装置に送信する送信手段、
として機能させることを特徴とする広告管理プログラム。
【０１３９】
（付記１９）コンピュータが、複数の広告の中から選ばれた広告群の表示スケジュールにしたがって前記広告群を表示するプッシュ型表示処理と閲覧者から指定されると当該指定された広告に切り替え表示するプル型表示処理とを実行する広告表示方法であって、
前記コンピュータが、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールにしたがって前記プッシュ型表示処理により前記広告表示候補を表示画面に表示する表示工程と、
を実行することを特徴とする広告表示方法。
【０１４０】
（付記２０）コンピュータが、複数の広告の中から選ばれた広告群の表示スケジュールにしたがって前記広告群を表示するプッシュ型表示処理と当該プッシュ型表示処理中に閲覧者から指定されると当該指定された広告に切り替え表示するプル型表示処理とを実行する広告表示装置の管理を実行する広告管理方法であって、
前記コンピュータが、
前記プル型表示処理による前記各広告の表示頻度の低さに基づいて前記複数の広告の中から選ばれた広告群を、広告表示候補として抽出する抽出工程と、
前記抽出工程によって前記広告表示候補として抽出された広告群の表示スケジュールを作成する作成工程と、
前記作成工程によって作成された表示スケジュールを前記広告表示装置に送信する送信工程と、
を実行することを特徴とする広告管理方法。
【産業上の利用可能性】
【０１４１】
以上のように、本発明にかかる広告提供システム、広告表示装置、広告管理装置、広告表示プログラム、広告管理プログラム、広告表示方法、および広告管理方法は、空港、駅、店舗などの施設内や街頭などの現場での利用に適している。
【符号の説明】
【０１４２】
１００  広告提供システム
１０１  広告管理装置
１０２  広告表示装置
１１０  ＤＢ
２０１  ディスプレイ
２０２  人体検知センサ
３０１  プッシュ型全面表示領域
３０２  操作領域
３０３  プル型表示領域
３０４  プッシュ型縮小表示領域
５００  重みテーブル
６０１  抽出部
６０２  作成部
６０３  送信部（広告管理装置側）
６０４  算出部
６０５  受信部（広告管理装置側）
６０６  更新部
６１１  受信部（広告表示装置側）
６１２  表示制御部
６１３  検知部
６１４  計数部
６１５  送信部（広告表示装置側）
７００  広告スケジュール
【国際調査報告】
2008139600.tif 000013
2008139600.tif 000014
2008139600.tif 000015
2008139600.tif 000016